(57)【要約】【課題】  消費者等の利用者が携帯するメモリを用いて当該利用者の商品等の購入履歴等を知ることができる。【解決手段】  編集広告データＥＤをネットワークを介して配信する配信装置２２と、所定地域の第１の場所で配信された編集広告データＥＤを表示すると共に、メモリ識別データＭＩＤを記憶したＩＣカード４０の読出及び／又は書込を行う第１のリーダ／ライタ３５を有する表示端末装置３２ａ〜３２ｃと、所定地域の第２の場所に設置され、ＩＣカード４０の読出及び／又は書込を行う第２のリーダ／ライタ５２と、第１のリーダ／ライタ３５から供給されたメモリ識別データＭＩＤに関連づけられた履歴データＨＤ１，ＨＤ２及び第２のリーダ／ライタ５２から供給されたメモリ識別データＭＩＤに関連づけられた履歴データＨＤ１を管理する履歴管理装置２３と、メモリ識別データＭＩＤ毎に、履歴データＨＤ１，ＨＤ２を関連づけ分析データＤを生成する履歴分析装置２４とを備える。【選択図】  図１
2006331397.tif 000002
【特許請求の範囲】
【請求項１】
複数の広告データをネットワークを介して配信する配信手段と、
第１の場所で上記配信された編集広告データを表示すると共に、メモリ識別データを少なくとも記憶したメモリの読出及び／又は書込を行う第１の読出／書込手段を有する表示手段と、
上記第１の場所と異なる第２の場所に設置され、上記メモリの読出及び／又は書込を行う第２の読出／書込手段と、
上記第１の読出／書込手段から供給された上記メモリ識別データに関連づけられた履歴データ及び上記第２の読出／書込手段から供給された上記メモリ識別データに関連づけられた履歴データを管理する管理手段と、
上記メモリ識別データ毎に、上記第１の読出／書込手段からの上記履歴データ及び上記第２の読出／書込手段からの上記履歴データを関連づけ分析データを生成する分析手段とを備えるデータ処理システム。
【請求項２】
上記メモリは、更に、上記メモリ識別データに関連付いて所有者識別データを記憶しており、
上記分析手段は、更に、上記メモリ識別データに上記所有者識別データを関連づける請求項１記載のデータ処理システム。
【請求項３】
上記複数の広告データの内の少なくとも一は、少なくとも上記第１の場所を含む所定地域の広告データであり、
上記広告データは、上記第１の場所を識別する場所識別データに関連づけて生成されており、
上記表示手段は、上記第１の場所を識別する場所識別データに関連づけられており、
上記配信手段は、上記広告データの場所識別データと一致する場所識別データに関連づけられた表示手段に、上記広告データを配信する請求項２記載のデータ処理システム。
【請求項４】
上記少なくとも一の広告データは、クーポンデータを含んでおり、
上記表示手段において上記所定地域の広告データにアクセスされ、上記クーポンデータの取得要求がされたとき、上記第１の読出／書込手段は、上記クーポンデータを上記メモリに書き込む請求項３記載のデータ処理システム。
【請求項５】
更に、メモリには、上記メモリ識別データに関連づけられた価値データが記憶されており、この価値データは、上記メモリの記憶内容を管理するメモリ管理手段により管理されており、
上記少なくとも一の広告データは、クーポンデータを含んでおり、
上記表示手段において上記所定地域の広告データにアクセスされ、上記クーポンデータの取得要求がされたとき、上記第１の読出／書込手段は、上記クーポンデータの取得要求データを、上記メモリ識別データに関連づけて上記メモリ管理手段に送信し、上記メモリ管理手段は、上記メモリ識別データに関連づけて上記クーポンデータの取得要求データを管理し、
上記第２の読出／書込手段は、読み取ったメモリのメモリ識別データに関連づけられた上記クーポンデータの取得要求データが上記メモリ管理手段にあるとき、上記クーポンデータの内容に応じて上記メモリに記憶されている価値データを更新する請求項４記載のデータ処理システム。
【請求項６】
複数の広告データを配信手段によってネットワークを介して配信するステップと、
第１の場所に設置された表示手段で上記配信された編集広告データを表示するステップと、
上記表示手段に設けられた第１の読出／書込手段でメモリに記憶されたメモリ識別データを読み出すステップと、
上記第１の場所と異なる第２の場所に設置された第２の読出／書込手段で上記メモリに記憶されたメモリ識別データを読み出すステップと、
上記第１の読出／書込手段から供給された上記メモリ識別データに関連づけられた履歴データ及び上記第２の読出／書込手段から供給された上記メモリ識別データに関連づけられた履歴データを管理手段で管理するステップと、
分析手段で、上記メモリ識別データ毎に、上記第１の読出／書込手段からの上記履歴データ及び上記第２の読出／書込手段からの上記履歴データを関連づけ分析データを生成するステップとを有するデータ処理方法。
【発明の詳細な説明】
【技術分野】
【０００１】
本発明は、ＩＣカード等のメモリを用いて所有者の使用履歴データを収集するデータ処理システム及びデータ処理方法に関する。
【背景技術】
【０００２】
メモリを内蔵したＩＣカードの中には、価値データとして金額データをメモリに格納したものがある。このＩＣカードは、ユーザが店舗で商品を購入するとき、リーダ／ライタによって、購入した商品の価格分だけ金銭データを減額すると共にメモリに購入履歴データを記録する更新処理が行われる。
【０００３】
また、人が多く集まる駅、広場、ロビー等には、宣伝広告用の表示装置が設置されることが多い。この表示装置では、広告代理店等が作成した広告データが動画又は静止画で表示される。この表示装置に表示される広告は、視聴者に対して一方的に流すものであり、仮に、視聴者が広告された一の商品の詳細を知りたいと思っても、即座に知ることはできない。また、広告主としても、所定場所に設置された表示装置を用いて行った広告の効果確認をすることもできない。特に、広告主は、表示装置が設置された所定場所と広告効果とを関連づけることはできない。
【０００４】
なお、特許文献１には、広告提供店舗の端末装置でクーポンを発行し、このクーポンをＩＣカードに記録し、更に、店舗で使用したクーポン利用情報を管理装置に記録し、この利用情報に応じて広告報酬を算定するシステムが記載されている。しかしながら、この特許文献１のシステムでは、ＩＣカードのユーザがどのような商品を購入したかを示す商品購入履歴、ＩＣカードのユーザがどのような店舗を訪れたかを示す行動履歴等の履歴を追跡することができない。
【０００５】
【特許文献１】特開２００２−２９８０２５号公報
【発明の開示】
【発明が解決しようとする課題】
【０００６】
本発明は、以上のような問題点に鑑みてなされたものであり、その目的は、消費者等の利用者が携帯するメモリを用いて当該利用者の商品等の購入履歴等を知ることができるデータ処理システム及びデータ処理方法を提供することにある。
【０００７】
具体的に、本発明の目的は、広告を行う場所と関連づけて利用者の商品等の購入履歴等を知ることができるデータ処理システム及びデータ処理方法を提供することにある。
【０００８】
更に、本発明の目的は、割引データ等のクーポンを発行し、ユーザの利用促進を図ることができるデータ処理システム及びデータ処理方法を提供することにある。
【課題を解決するための手段】
【０００９】
本発明に係るデータ処理システムは、複数の広告データをネットワークを介して配信する配信手段と、第１の場所で上記配信された編集広告データを表示すると共に、メモリ識別データを少なくとも記憶したメモリの読出及び／又は書込を行う第１の読出／書込手段を有する表示手段と、上記第１の場所と異なる第２の場所に設置され、上記メモリの読出及び／又は書込を行う第２の読出／書込手段と、上記第１の読出／書込手段から供給された上記メモリ識別データに関連づけられた履歴データ及び上記第２の読出／書込手段から供給された上記メモリ識別データに関連づけられた履歴データを管理する管理手段と、上記メモリ識別データ毎に、上記第１の読出／書込手段からの上記履歴データ及び上記第２の読出／書込手段からの上記履歴データを関連づけ分析データを生成する分析手段とを備える。
【００１０】
上述したデータ処理システムのデータ処理方法は、複数の広告データを配信手段によってネットワークを介して配信するステップと、第１の場所に設置された表示手段で上記配信された編集広告データを表示するステップと、上記表示手段に設けられた第１の読出／書込手段でメモリに記憶されたメモリ識別データを読み出すステップと、上記第１の場所と異なる第２の場所に設置された第２の読出／書込手段で上記メモリに記憶されたメモリ識別データを読み出すステップと、上記第１の読出／書込手段から供給された上記メモリ識別データに関連づけられた履歴データ及び上記第２の読出／書込手段から供給された上記メモリ識別データに関連づけられた履歴データを管理手段で管理するステップと、分析手段で、上記メモリ識別データ毎に、上記第１の読出／書込手段からの上記履歴データ及び上記第２の読出／書込手段からの上記履歴データを関連づけ分析データを生成するステップとを有する。
【発明の効果】
【００１１】
本発明によれば、メモリに割り振られているメモリ識別データ毎に、上記第１の読出／書込手段からの上記履歴データ及び上記第２の読出／書込手段からの上記履歴データを関連づけ分析データを生成することで、第１の場所を中心とした所定範囲におけるメモリの所有者のメモリ使用履歴、すなわち行動履歴を知ることができる。
【発明を実施するための最良の形態】
【００１２】
以下、本発明を適用したデータ処理システム及びデータ処理方法を図面を参照して説明する。
【００１３】
図１に示すように、本発明を適用したデータ処理システム１では、広告主Ａ、広告主Ｂ、広告主Ｃ・・・が管理する端末装置として第１乃至第３の広告入力装置１０ａ〜１０ｃを備える。
【００１４】
ここで、広告主Ａは、例えば大手広告代理店であり、特定企業及び／又は特定商品の第１の広告データＡＤ１を第１の広告入力装置１０ａで生成する。広告主Ａは、広告データを配信するための条件として、表示時間（例えば１５秒、３０秒）、時間帯、ループ回数、表示期間等を第１の広告入力装置１０ａに入力する。
【００１５】
広告主Ｂは、所定地域内の広告主であり、例えばホテルＨの周辺５００ｍ内のチケット販売業者である。広告主Ｂは、第２の広告入力装置１０ｂで特定の映画の広告データ、クーポンデータ等でなる第２の広告データＡＤ２を生成する。
【００１６】
広告主Ｃは、例えば所定地域内における飲食店であり、例えばホテルＨの周辺５００ｍ内の飲食店である。広告主Ｃは、第３の広告入力装置１０ｃで特定店舗の広告データ、クーポンデータ等でなる第３の広告データＡＤ３を生成する。
【００１７】
第１乃至第３の広告入力装置１０ａ〜１０ｃは、例えば通常のコンピュータと同様な構成を有しており、ハードディスク、ＲＯＭ（Read Only Memory）、ＲＡＭ（Random Access Memory）、ＣＰＵ（Central Processing Unit）、ＬＣＤ（Liquid Crystal Display）、ＣＲＴ（Cathode Ray Tube）等の表示装置、キーボード、マウス等の入力装置、光ディスク等の外部記憶装置の入出力インタフェース（以下単にＩ／Ｆと言う。）、インターネット等のネットワークを介して通信するための通信Ｉ／Ｆ等を備えている。第１乃至第３の広告入力装置１０ａ〜１０ｃは、インストールされた編集ソフトウェア等で動画又は静止画データ、音声データ、文字データ等で構成された第１乃至第３の広告データＡＤ１〜ＡＤ３を生成する。なお、本発明では、広告主の数や広告入力装置の数は、これに限定されるものではない。
【００１８】
また、このデータ処理システム１では、このシステム運営者Ｓが管理する装置として、広告主Ａ、広告主Ｂ、広告主Ｃの第１乃至第３の広告入力装置１０ａ〜１０ｃから供給された第１乃至第３の広告データＡＤ１〜ＡＤ３を編集する編集装置２１と、編集した編集広告データを配信する配信装置２２とを備える。
【００１９】
編集装置２１は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。
【００２０】
編集装置２１は、通信Ｉ／Ｆ又は入出力Ｉ／Ｆを介して第１乃至第３の広告入力装置１０ａ〜１０ｃから供給される第１乃至第３の広告データＡＤ１〜ＡＤ３が入力され、インストールされた編集ソフトウェア等の機能を実行することによって、入力された第１乃至第３の広告データＡＤ１〜ＡＤ３を編集し、動画、静止画データ、音声データ、文字データ等で構成された一連の編集広告データＥＤを生成する。
【００２１】
なお、第１乃至第３の広告入力装置１０ａ〜１０ｃからの第１乃至第３の広告データＡＤ１〜ＡＤ３の入力は、公衆回線網を使って接続したＷＡＮ（Wide Area Network）等のネットワークを介して行われる。したがって、後述するように、第１乃至第３の広告データＡＤ１〜ＡＤ３の入力は、ＳＳＬ（Secure Sockets Layer）等のＨＴＴＰ（HyperText Transfer Protocol）等のプロトコルを利用して第１乃至第３の広告データＡＤ１〜ＡＤ３を暗号化してセキュアな回線を利用して行うようにしても良い。
【００２２】
ここで生成される編集広告データＥＤは、図２に示すように、第１の広告入力装置１０ａで生成された第１の広告データＡＤ１、第２の広告入力装置１０ｂで生成された第２の広告データＡＤ２、第３の広告入力装置１０ｃで生成された第３の広告データＡＤ３を含む。そして、編集広告データＥＤは、例えば、第１乃至第３の広告データＡＤ１〜ＡＤ３が表示画面上に３つに分割して表示されたり、一又は複数の広告データを他の広告データを重畳して表示するように編集されている。また、各広告データＡＤ１〜ＡＤ３は、階層構造を有しており、一の広告データが選択されると、更に詳細な下層の広告データが表示されるようになっている。
【００２３】
なお、編集広告データＥＤは、システム運営者Ｓが編集装置２１を用いて付した場所識別データＰＩＤ、ここではホテルＨの場所を特定する場所識別データＰＩＤが含まれている。更に、編集広告データＥＤは、更に、後述するホテル入力装置３１より供給された広告場所、ここではホテルＨの提供する関連データＲＤが含まれている。
【００２４】
編集装置２１は、以上のような編集広告データＥＤを生成すると、有線又は無線のネットワークを介して又は光ディスク等の可搬性記録媒体を介して配信装置２２に供給する。なお、ここでのネットワーク送信も、上述のＳＳＬ等で暗号化するようにしても良い。この配信装置２２は、例えば通常のサーバ装置と同様の構成を有し、ハードディスク、ＲＯＭ、ＲＡＭ、ＣＰＵ、光ディスク等の外部記憶装置の入出力Ｉ／Ｆ、インターネット等のネットワークを介して通信するための通信Ｉ／Ｆ等を備えている。配信装置２２は、指定された日時等の所定条件に従って、編集装置２１で生成された編集広告データＥＤをホテルＨにインターネット等のネットワークを介して配信する。ここで、配信装置２２は、ハードディスクに構築されたデータベースによって、後述する編集広告データＥＤの配信先となる表示端末装置３２ａ〜３２ｃに割り振られている場所識別データＰＩＤを、表示端末装置３２ａ〜３２ｃの例えばネットワーク上のアドレスデータに関連付けて管理している。配信装置２２は、編集広告データＥＤに含まれる場所識別データＰＩＤと同じ場所識別データＰＩＤが割り当てられている表示端末装置３２ａ〜３２ｃに対して編集広告データＥＤを配信する。
【００２５】
なお、以上の例では、編集装置２１で一連の編集広告データＥＤを第１乃至第３の広告データＡＤ１〜ＡＤ３に基づいて生成した場合を説明したが、編集装置２１では、第１乃至第３の広告データＡＤ１〜ＡＤ３を一連とせず、個々とし、個々の第１乃至第３の広告データＡＤ１〜ＡＤ３を、再生時間や広告データの所在を示すアドレスデータが記録されたプレイリストに従って表示端末装置３２にダウンロードされるようにしても良い。
【００２６】
更に、このデータ処理システム１は、ホテルＨが管理する装置として、編集広告データＥＤに含ませるホテル関連データＲＤ等を生成し、システム運営者Ｓが管理する編集装置２１に供給するホテル入力装置３１と、ホテルＨのロビーと言った公共スペースや各客室に設置される表示端末装置３２ａ〜３２ｃとを備える。
【００２７】
ホテル入力装置３１は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。ホテルＨは、宿泊者等の利用者に対して提供するホテル関連データＲＤとして、天気情報、周辺施設情報、交通機関運行情報、客室備品情報、試供品の宣伝情報等をホテル入力装置３１で生成し、ネットワーク又は可搬性記録媒体を介して、システム運営者Ｓが管理する編集装置２１に供給する。このホテル関連データＲＤも、図２に示すように、編集装置２１の編集工程において、上述した編集広告データＥＤに含まれることになる。
【００２８】
上述した配信装置２２から配信される編集広告データＥＤは、公衆回線網を使って接続したＷＡＮ等のネットワークを介して表示端末装置３２ａ〜３２ｃに配信される。ここで、編集広告データＥＤは、ＳＳＬ等利用してセキュアに表示端末装置３２ａ〜３２ｃに配信されるようにしても良い。
【００２９】
表示端末装置３２ａ〜３２ｃは、図３に示すように、８〜１２インチ程度のタッチパネル等で構成された表示操作部３３と、十字キー、複数の押しボタン等でなる操作部３４と、利用者が所有するＩＣカード４０の読出や書込を行う第１のリーダ／ライタ３５と、配信装置２２と通信をするための通信Ｉ／Ｆ３６と、制御プログラム等が格納されたＲＯＭ３７ａと、プログラム等がロードされるＲＡＭ３７ｂと、制御プログラムに基づいて演算する制御部３８とを備えている。この表示端末装置３２ａ〜３２ｃは、設置された場所を識別する場所識別データＰＩＤが割り振られており、ＲＯＭ３７ａ等の記憶手段に格納されている。この表示端末装置３２ａ〜３２ｃに割り振られる場所識別データＰＩＤは、ホテルＨ内の個々の表示端末装置３２ａ〜３２ｃに割り振られる識別データではなく、ホテルＨ内の例えば全ての表示端末装置３２ａ〜３２ｃに共通の識別データであり、表示端末装置３２ａ〜３２ｃの設置場所であり広告場所を特定するための識別データである。
【００３０】
なお、場所識別データＰＩＤには、更に、各客室、ロビー等ホテルＨ内の具体的設置場所の識別データを枝番等を用いて付加するようにしても良い。この場合、ホテルサーバを、配信装置２２と表示端末装置３２との間に設置し、編集広告データＥＤ等を中継するプロキシサーバとなるホテルサーバに場所識別データＰＩＤを付与し、ＳＳＬ等でセキュアな状態のＬＡＮ（Local Area Network）を介して接続された表示端末装置３２に枝番を付与する。そして、例えば、ホテルサーバには、所定の客室に宿泊する利用者に合わせたホテル関連データＲＤが入力されるようにすることで、ホテル関連データＲＤは、編集装置２１に入力するまでもなく、ホテルサーバから表示端末装置３２に配信されるようになる。また、編集広告データＥＤは、ホテルサーバに配設されるようになり、配信装置２２の負荷を減らすことができる。
【００３１】
第１のリーダ／ライタ３５は、ＲＦＩＤ（Radio Frequency Identification System）、ＮＦＣ（Near Field Communication）等の短距離又は近距離の非接触の無線通信でＩＣカード４０と通信を行うものであり、そのアンテナコイルが表示操作部３３上に設けられている。なお、以下の説明では、ＲＦＩＤを例に取って説明する。この第１のリーダ／ライタ３５のアンテナコイルは、表示操作部３３上に設けるには、表示画面を見る際の妨げとならないように、光透過性を有するように例えば透明に形成されている。なお、表示操作部３３は、表示機能のみの表示部であっても良い。また、第１のリーダ／ライタ３５は、表示操作部３３の近傍や筐体の裏面等に設けても良く、更に、表示端末装置３２ａ〜３２ｃと有線又は無線で接続された機器であっても良い。
【００３２】
このような表示端末装置３２ａ〜３２ｃの表示操作部３３には、配信された編集広告データＥＤが表示され、表示操作部３３又は操作部３４を操作することによって、表示されている複数の広告データの中から一の広告データを選択し、下層の詳細な広告データを表示操作部３３に表示することができる。また、この表示端末装置３２ａ〜３２ｃでは、編集広告データの各広告データに含まれるクーポンデータＣＤのダウンロードや各広告データＡＤ１〜ＡＤ３で宣伝される商品の購入を第１のリーダ／ライタ３５のアンテナコイルにＩＣカード４０を近接させることによって行うことができる。編集広告データＥＤでは、アンテナコイルが表示操作部３３上に設けられているとき、クーポンデータＣＤをダウンロードする画面や商品を購入する画面において、アンテナコイルが設けられた部分に、「ＩＣカードをかざして下さい。」といった表示を行うようになっている。また、表示端末装置３２ａ〜３２ｃは、ＩＣカード４０が利用されたとき、そのアクセスログデータを生成しハードディスク、半導体メモリ等に保存する。例えば、表示端末装置３２ａ〜３２ｃは、編集広告データＥＤ中のアクセスしたページのアドレスデータや日時データ、ＩＣカード４０のアクセスのあった日時等のログデータを保存する。なお、この表示端末装置３２ａ〜３２ｃが設置される場所は、すなわちホテルＨがＩＣカード４０が使用されたり宣伝広告が行われる第１の場所である。
【００３３】
なお、ホテルＨに設置される表示端末装置３２ａ〜３２ｃの数は、これに限定されるものではない。また、表示端末装置３２としては、図４に示すように、大画面のものと小画面のものを用意しても良い。すなわち、図４に示すように、表示部が５０インチ、６０インチ、それ以上といった大画面の表示端末装置３２ｄをホテルＨのロビー等の公共の場所に設置し、大勢の人が一度に広告データを見ることができるようにし、客室に宿泊客個人が見られる程度の例えば２０インチ、３０インチ、４０インチ程度の小画面の表示端末装置３２ｅを設置するようにする。そして、客室に置かれる小画面の表示端末装置３２ｅを、図３の構成にし、第１のリーダ／ライタ３５を設け、図１１に示すようなアンテナコイル３３ｂが設けられたカード領域３３ａを設けるようにする。これにより、客室に宿泊する個人の履歴データを取得することができるようになる。なお、公共場所に設置される大画面の表示端末装置３２ｄにも第１のリーダ／ライタ３５を設けても良いが、ここでは設けず、単に、公衆に対してプッシュ型の広告だけを行うようにしても良い。この場合、大画面の表示端末装置３２ｄは、映し出された広告データの履歴データを蓄積するようにする。
【００３４】
ここで、利用者が所有するＩＣカード４０は、このＲＦＩＤに従って、リーダ／ライタ側のアンテナコイルとＩＣカード４０側のアンテナコイルとが誘導結合によって磁気的に結合し、ＩＣカードとリーダライタとの間で非接触データ通信を行う。このＩＣカード４０は、内部にメモリ素子を有しており、メモリ素子内には、メモリ素子の識別データに関連付けて価値データである金額データ等が格納されている。
【００３５】
ここで、ＩＣカード４０には、例えば第１のＩＣカード４０ａと第２のＩＣカード４０ｂの二つの型がある。第１のＩＣカード４０ａは、図５（Ａ）に示すように、メモリ素子に、電子マネー領域４１を有し、この電子マネー領域４１に、メモリ素子を識別するメモリ識別データＭＩＤ、貨幣価値データとなる金額データＶＤ及び第１の履歴データＨＤ１が格納される。第１の履歴データＨＤ１には、入金や出金で金額が変動したときの日時データ、リーダ／ライタの識別データ、リーダ／ライタが設置されている店舗等の識別データ、購入した商品の識別データ、リーダ／ライタにアクセスしたときの日時データ等が含まれている。そして、メモリ識別データＭＩＤには、金額データＶＤや第１の履歴データＨＤ１が関連付けられている。
【００３６】
また、第２のＩＣカード４０ｂは、第１のＩＣカード４０ａに、更なる機能を付加したものであり、ここでは、例えばホテルＨの会員カードとして用いられるカードである。この第２のＩＣカード４０ｂは、図５（Ｂ）に示すように、メモリ素子に、上述の電子マネー領域４１に加え、会員データ領域４２とクーポン領域４３とを有している。会員データ領域４２には、会員識別データＭＤと第２の履歴データＨＤ２とが格納されている。会員識別データＭＤは、例えば、会員番号、顧客ランク、氏名、電話番号、住所、電子メールアドレス等を含んでいる。また、第２の履歴データＨＤ２は、ホテルＨを何時、チェーン店であるときどこのホテルを利用したか、表示端末装置３２ａ〜３２ｃを利用した際のログ等の利用履歴等のデータを含んでいる。また、クーポン領域４３には、表示端末装置３２ａ〜３２ｃからダウンロードしたクーポンデータＣＤ等が格納される。そして、メモリ識別データＭＩＤには、会員識別データＭＤ、第２の履歴データＨＤ２、クーポンデータＣＤが関連付けられている。
【００３７】
なお、以下、第１のＩＣカード４０ａと第２のＩＣカード４０ｂとをまとめて単にＩＣカード４０とも言う。また、本発明では、ＩＣカード４０の種類に関し、上述の第１及び第２のＩＣカード４０ａ，４０ｂの他に、更に別の機能、例えばクレジットカードやデビットカードといった機能が付加されたＩＣカードが存在しても良い。更に、本発明では、利用者が携帯する携帯機器であれば、ＩＣカード４０に代わって、ＩＣカード４０の機能を実現する各種部品が内蔵された携帯型電話、電子手帳等の携帯型情報処理端末装置であっても良い。
【００３８】
上述した表示端末装置３２ａ〜３２ｃの第１のリーダ／ライタ３５は、第１のＩＣカード４０ａと通信を行うとき、少なくとも電子マネー領域４１よりメモリ識別データＭＩＤを読み出す。すなわち、第１のリーダ／ライタ３５は、利用者が表示端末装置３２ａ〜３２ｃを用いて編集広告データＥＤの閲覧をしたとき、第１のＩＣカード４０ａの電子マネー領域４１よりメモリ識別データＭＩＤを読み出す。また、第１のリーダ／ライタ３５は、利用者が表示端末装置３２ａ〜３２ｃを用いて編集広告データＥＤの閲覧をし、広告対象の商品を購入したとき、第１のＩＣカード４０ａの電子マネー領域４１よりメモリ識別データＭＩＤを読み出すと共に、商品の代金分金額データＶＤを減算し、第１の履歴データＨＤ１を更新する。また、ホテルＨが管理する装置であるから、この表示端末装置３２ａ〜３２ｃに設けられた第１のリーダ／ライタ３５は、第２のＩＣカード４０ｂと通信を行うとき、第１のＩＣカード４０ａのときと同様な第２のＩＣカード４０ｂの電子マネー領域４１の読出や書込に加え、会員データ領域４２にアクセスし、会員識別データＭＤを読み出すと共に、第２の履歴データＨＤ２を更新する。更に、第１のリーダ／ライタ３５は、利用者が表示端末装置３２ａ〜３２ｃを用いて編集広告データＥＤの閲覧をし、クーポンデータＣＤのダウンロードを行ったとき、クーポン領域４３にクーポンデータＣＤを書き込む。
【００３９】
なお、図１に示すように、ＩＣカード４０の取扱店Ａは、店舗端末装置５１を管理している。このＩＣカード４０の取扱店Ａは、例えば、上述した広告主Ｂ又は広告主Ｃにもなるものであり、例えばホテルＨの周辺５００ｍ内の第１の広告データＡＤ２や第２の広告データＡＤ３の広告対象となった商品を実際に取り扱っている店舗である。ＩＣカード４０の取扱店Ａが管理する店舗端末装置５１は、例えばＰＯＳ端末（Point Of Sale terminal）に、ＩＣカード４０の第２のリーダ／ライタ５２が有線又は無線で接続された装置であり、また、表示端末装置３２ａ〜３２ｃが設置された場所とは異なる第２の場所に設置される装置である。この第２のリーダ／ライタ５２は、ＩＣカード４０とＲＦＩＤに従って通信を行う。
【００４０】
なお、この第２のリーダ／ライタ５２のアンテナコイルは、上述の第１のリーダ／ライタ３５のアンテナコイルと異なり表示部に設けられるものではないから、必ずしも光透過性である必要は無い。この第２のリーダ／ライタ５２では、第１のＩＣカード４０ａと通信を行うとき、すなわち商品購入時の決済を行うとき、第１のＩＣカード４０ａの電子マネー領域４１よりメモリ識別データＭＩＤを読み出すと共に、商品の代金分金額データＶＤを減算し、第１の履歴データＨＤ１を更新する。また、第２のリーダ／ライタ５２は、第２のＩＣカード４０ｂと商品購入時の決済のための通信を行うとき、第１のＩＣカード４０ａの電子マネー領域４１よりメモリ識別データＭＩＤを読み出すと共に、商品の代金分金額データＶＤを減算し、第１の履歴データＨＤ１を更新する。第２のリーダ／ライタ５２は、第２のＩＣカード４０ｂのクーポン領域４３に対応するクーポンデータＣＤがあるときには、その内容を代金に反映し、クーポン領域４３のクーポンデータＣＤを消去する。
【００４１】
なお、所定期間後、ＩＣカードの管理会社Ｍによって、ＩＣカード４０のメモリ識別データＭＩＤは、ＩＣカード管理装置６１からシステム運営者Ｓが管理する履歴管理装置２３に送信され、ＩＣカードの管理会社Ｍからシステム運営者Ｓへの報告が行われる。そして、システム運営者Ｓの履歴管理装置２３は、所定の広告主、例えば広告主Ｂが発行したクーポン割引率を適用すべきＩＣカード４０のメモリ識別データＭＩＤと照合し、同広告主Ｂが発行したクーポンをホテルＨにおいてＩＣカード４０の保有者が、ホテルＨ内の表示端末装置３２ａ〜３２ｃ内の第１のリーダ／ライタ３５を利用して取得したこと証明し、その結果を、ＩＣカードの管理会社ＭのＩＣカード管理装置６１へ送信し、システム運営者ＳからＩＣカードの管理会社Ｍへの報告を行う。ＩＣカードの管理会社ＭのＩＣカード管理装置６１は、ＩＣカード４０の保有者が利用した金額に応じたクーポン割引率を適用し、同クーポンを適用したことを示す使用データをシステム運営者Ｓの履歴管理装置２３に送信し、履歴管理装置２３は、ＩＣカード４０のメモリ識別データＭＩＤに関連された未利用クーポン情報を、利用済み状態へと更新する。
【００４２】
なお、この際、第２のリーダ／ライタ５２は、第２のＩＣカード４０ｂの会員データ領域４２には、ホテルＨとは経済的や組織的に無関係であるためアクセスできない。一方で、第１のリーダ／ライタ３５と第２のリーダ／ライタ５２が経済的や組織的に同一の事業体に属し第１のＩＣカード４０ａへのアクセス権限を有する場合する場合には、第１のＩＣカード４０ａの保有者に関する第１の履歴データＨＤ１等にアクセスすることができる。
【００４３】
また、図１に示すように、ホテルＨ内に設置された表示端末装置３２ａ〜３２ｃの第１のリーダ／ライタ３５及び／又はＩＣカード４０の取扱店Ａに設置された店舗端末装置５１の第２のリーダ／ライタ５２によって商品が購入されたとき、表示端末装置３２ａ〜３２ｃや店舗端末装置５１は、ＩＣカード４０の管理会社Ｍ等が管理するＩＣカード管理装置６１にアクセスする。このＩＣカード管理装置６１は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。このＩＣカード管理装置６１は、第１及び第２のＩＣカード４０ａ，４０ｂの電子マネー領域４１を管理する装置である。ＩＣカード管理装置６１は、表示端末装置３２ａ〜３２ｃの通信Ｉ／Ｆ３６又は店舗端末装置５１からネットワークを介して送信されたメモリ識別データＭＩＤ等を管理する。システム運営者Ｓが運営する履歴管理装置２３は、第１の履歴データＨＤ１等を受信認証をし、ハードディスク等に構築されたデータベースで、暗号化されたセキュアな通信ネットワーク、又は可搬性記録媒体を介してＩＣカードの管理会社Ｍが管理するＩＣカード管理装置６１から受信したメモリ識別データＭＩＤと第１の履歴データＨＤ１を相互に関連付けて管理する。また、履歴管理装置２３は、利用者がクーポン領域４３を有していない第１のＩＣカード４０ａを用いてクーポンデータＣＤの取得を行ったとき、第１のＩＣカード４０にクーポンデータＣＤを保存することができないことから、クーポンデータＣＤをメモリ識別データＭＩＤに関連付けて管理する。
【００４４】
本発明を適用したデータ処理システム１では、図１に示すように、更に、システム運営者Ｓが管理する装置として、ＩＣカード４０の履歴を管理する履歴管理装置２３と、ＩＣカード４０の履歴を管理する履歴分析装置２４とを備えている。
【００４５】
履歴管理装置２３は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。
【００４６】
この履歴管理装置２３は、上述した表示端末装置３２ａ〜３２ｃの第１のリーダ／ライタ３５が第１のＩＣカード４０ａや第２のＩＣカード４０ｂにアクセスしたときの履歴として、表示端末装置３２ａ〜３２ｃの通信Ｉ／Ｆ３６から送信されたメモリ識別データＭＩＤ、アクセスした編集広告データＥＤのアドレスデータ、会員識別データＭＤ、第１及び第２の履歴データＨＤ１，ＨＤ２等をネットワークを介して受信し、これらのデータをハードディスク等に構築されたデータベースで相互に関連付けて管理する。また、この履歴管理装置２３は、ＩＣカード管理装置６１から送信された取扱店Ａにおける第１のＩＣカード４０ａや第２のＩＣカード４０ｂの電子マネー領域４１のメモリ識別データＭＩＤや第１の履歴データＨＤ１をＩＣカード管理装置６１を経由して受信する。
【００４７】
かくして、履歴管理装置２３には、図６に示すように、ホテルＨに設置された表示端末装置３２ａ〜３２ｃの第１のリーダ／ライタ３５で取得したメモリ識別データＭＩＤ、第１の履歴データＨＤ１、会員識別データＭＤ及び第２の履歴データＨＤ２とＩＣカード管理装置６１で管理している商品の購入履歴に関する履歴データとして、メモリ識別データＭＩＤ及び第１の履歴データＨＤ１が蓄積されることになる。そして、この蓄積されたデータは、ネットワークや可搬性記録媒体を介して履歴分析装置２４に供給される。
【００４８】
履歴分析装置２４は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。履歴分析装置２４は、ホテルＨに設置された表示端末装置３２ａ〜３２ｃで取得したメモリ識別データＭＩＤと一致するＩＣカード管理装置６１で管理されているメモリ識別データＭＩＤに関連付けられている第１の履歴データＨＤ１を抽出する。
【００４９】
これを図７（Ａ）乃至図７（Ｃ）を用いて説明する。図７（Ａ）は、ホテルＨに設置された表示端末装置３２ａ〜３２ｃの第１のリーダ／ライタ３５からのメモリ識別データＭＩＤ、第１の履歴データＨＤ１、会員識別データＭＤ及び第２の履歴データＨＤ２を示し、図７（Ｂ）は、ＩＣカード管理装置６１が管理が管理しているメモリ識別データＭＩＤ及び第１の履歴データＨＤ１を示す。図７（Ａ）の第１のリーダ／ライタ３５からのメモリ識別データＭＩＤ「０００３」及び「０００９」が図７（Ｂ）のＩＣカード管理装置６１からのメモリ識別データＭＩＤと一致している。そこで、履歴分析装置２４は、図７（Ｃ）に示すように、一致するメモリ識別データＭＩＤ「０００３」の第１の履歴データＨＤ１（「ＢＢＢ」、「ＦＦＦ」）、会員識別データＭＤ（「Ｈ０００２」）及び第２の履歴データＨＤ２（「ＹＹＹ」）を抽出し、分析データＤを生成する。また、一致するメモリ識別データＭＩＤ「０００９」の第１の履歴データＨＤ１（「ＤＤＤ」、「ＨＨＨ」）、会員識別データＭＤ（「Ｈ０００４」）及び第２の履歴データＨＤ２（「ＸＹＺ」）を抽出し分析データＤを加工・生成する。この分析データＤは、例えば、ＣＳＶ（Comma Separated Value）形式やＨＴＭＬ（HyperText Markup Language）形式で生成される。
【００５０】
以上のように履歴分析装置２４で生成された分析データＤは、図１に示すように、ホテルＨが管理するホテル管理装置３９にネットワークを介して又は可搬性記録媒体で供給される。このホテル管理装置３９は、例えば通常のコンピュータと同様の構成を有し、ハードディスク、ＲＯＭ、ＲＡＭ、ＣＰＵ、ＬＣＤ、ＣＲＴ等の表示装置、キーボード、マウス等の入力装置、光ディスク等の外部記憶装置の入出力Ｉ／Ｆ、インターネット等のネットワークを介して通信するための通信Ｉ／Ｆ等を備えている。履歴分析装置２４から供給されたホテル管理装置３９では、分析データＤを閲覧し、更に分析することによって、ホテルＨの利用者の行動パターンを分析することができる。
【００５１】
例えば、図７（Ｃ）に示す分析データＤによれば、ホテルＨは、メモリ識別データＭＩＤ「０００３」に関連付いている会員識別データＭＤ「Ｈ０００２」によって、利用者の氏名、年齢、住所等の個人情報を得ることができ、更に、第２の履歴データＨＤ２「ＹＹＹ」によって、編集広告データＥＤの中でどの広告に興味を持ったかを知ることができ、更に、第１の履歴データＨＤ１「ＢＢＢ」、「ＦＦＦ」によって、ホテルＨからどれくらい離れた店舗を訪れ又商品を購入したかを知ることができ、これによって、例えば、ホテルＨの生成する関連データＲＤの内容や編集広告データＥＤに含まれる第２の広告データＡＤ２や第３の広告データＡＤ３の内容を決めることができる。すなわち、ホテルＨとしては、ホテルＨの利用者、更に具体的には場所識別データＰＩＤで特定される表示端末装置３２ａ〜３２ｃを利用した利用者の行動パターンを分析データＤによって知ることができる。
【００５２】
なお、以上の例では、広告主Ｂ及び広告主Ｃは、ホテルＨの周辺５００ｍのものであったが、利用者の想定される行動範囲がこれより広い場合には、広告主Ｂや広告主Ｃを更に広い範囲から選ぶことができる。
【００５３】
次に、以上のような本発明が適用されたデータ処理システム１の処理手順について説明する。先ず、編集広告データＥＤが生成されて、表示端末装置３２ａ〜３２ｃに配信されるまでの一連の手順を説明する。
【００５４】
先ず、第１乃至第３の広告入力装置１０ａ〜１０ｃでは、広告主Ａ〜Ｃの操作に応じて所定の第１乃至第３の広告データＡＤ１〜ＡＤ３が生成される。具体的に、広告主Ａは、ここでは大手広告代理店であり、ここではホテルＨの周辺５００ｍといった所定地域に関係の無い第１の広告データＡＤ１を第１の広告入力装置１０ａで生成する。例えば、第１の広告入力装置１０ａは、広告主Ａの操作に応じて例えば所定のビールメーカの広告データを生成する。具体的に、第１の広告入力装置１０ａは、動画ファイル、静止画ファイル等の第１の広告データＡＤ１を直接構成するＨＴＭＬ形式等のデータの他に、表示端末装置３２ａ〜３２ｃで流す表示時間（例えば１５秒、３０秒）、時間帯、ループ回数、表示期間等の配信条件データを広告主Ａの操作に応じて生成する。
【００５５】
また、広告主Ｂ及び広告主Ｃは、ホテルＨの周辺５００ｍといった所定地域内の店舗主等であり、店舗が取り扱う商品やクーポンデータＣＤを第２及び第３の広告入力装置１０ｂ，１０ｃで生成する。具体的に、第２及び第３の広告入力装置１０ｂ，１０ｃは、店名、動画ファイル、静止画ファイル、店名、住所、電話番号、クーポンデータの割引率等の第２及び第３の広告データＡＤ２，ＡＤ３を構成するＨＴＭＬ、ＣＨＴＭＬ（Compact HTML）形式等のデータを広告主Ａや広告主Ｃの操作に応じて生成する。そして、第１乃至第３の広告入力装置１０ａ〜１０ｃは、図１に示すように、ネットワークを介して又は可搬性記録媒体を用いてシステム運営者Ｓの編集装置２１に供給する。
【００５６】
また、ホテルＨが管理するホテル入力装置３１では、ホテルＨの担当者の操作に応じて宿泊者等の利用者に対して提供する天気情報、周辺施設情報、交通機関運行情報、客室備品情報、試供品の宣伝情報等ホテル関連データＲＤが生成される。そして、ホテル入力装置３１は、図１に示すように、ネットワークを介して又は可搬性記録媒体を用いてシステム運営者Ｓの編集装置２１に供給する。
【００５７】
そして、システム運営者Ｓが管理する編集装置２１は、図８に示すように、ステップＳ１において、第１乃至第３の広告入力装置１０ａ〜１０ｃからの第１乃至第３の広告データＡＤ１〜ＡＤ３及びホテル入力装置３１からのホテル関連データＲＤが入力されると、ステップＳ２において、第１乃至第３の広告データＡＤ１〜ＡＤ３及びホテル関連データＲＤを編集して編集広告データＥＤを生成する。ここで生成される編集広告データＥＤは、例えば、第１乃至第３の広告データＡＤ１〜ＡＤ３が表示画面上に３つに分割して表示されたり、一又は複数の広告データを他の広告データを重畳して表示するように編集されているデータである。また、各広告データＡＤ１〜ＡＤ３は、階層構造を有しており、一の広告データが選択されると、更に詳細な下層の広告データが表示されるようになっている。
【００５８】
ステップＳ３において、編集装置２１は、ホテルＨの表示端末装置３２ａ〜３２ｃに割り振られている場所識別データＰＩＤを編集広告データＥＤに付与する。そして、編集装置２１は、ステップＳ４において、場所識別データＰＩＤが付与された編集広告データＥＤを配信装置２２にネットワーク又は可搬性記録媒体を介して供給する。
【００５９】
ステップＳ５で場所識別データＰＩＤが付与された編集広告データＥＤが入力された配信装置２２は、ステップＳ６において、各編集広告データＥＤの配信条件、例えば配信時間になったかを判断する。そして、配信装置２２は、配信条件に合致したとき、ステップＳ７において、データベースにアクセスし、入力された編集広告データＥＤに付された場所識別データＰＩＤと一致する表示端末装置３２ａ〜３２ｃのアドレスデータに対してネットワークを介して配信する。
【００６０】
ホテルＨに設置されている表示端末装置３２ａ〜３２ｃは、ステップＳ８において、配信装置２２から送信された編集広告データＥＤを順次再生し、表示操作部３３に表示する。ステップＳ９において、表示端末装置３２ａ〜３２ｂは、配信装置２２から送信された次の又は新たな編集広告データＥＤを受信したかを判断し、次の又は新たな編集広告データＥＤを受信したとき、ステップＳ１０において、順次、次の又は新たな編集広告データＥＤを再生する。
【００６１】
表示端末装置３２ａ〜３２ｃでは、例えば図９に示すように、表示操作部３３上に第１乃至第３の広告データＡＤ１〜ＡＤ３が表示画面上に３つに分割して表示される。例えば、図９の例では、第１の広告データＡＤ１が最も大きく上段に表示され、その下段に、第２の広告データＡＤ２が次に大きく表示され、最下段に、第３の広告データＡＤ３が表示される。なお、表示操作部３３に表示される第１乃至第３の広告データＡＤ１〜ＡＤ３の表示面積や位置は、図９の例に限定されるものではなく、最も強調したい広告データを表示画面上で目立つように最も大きく又は中央に表示するようにしても良く、また、一又は複数の広告データを他の広告データを重畳して表示するようにしても良い。かくして、ホテルＨ内に設置された表示端末装置３２ａ〜３２ｃでは、図９に示すような編集広告データＥＤが表示操作部３３に表示され、ホテルＨの客室やロビーにいるホテルＨの利用者に対して編集広告データＥＤを見せることができる。この編集広告データＥＤには、ホテルＨの近隣の第２の広告主Ｂや第２の広告主Ｃの広告データＡＤ２，ＡＤ２が含まれているので、ホテルＨとして、宿泊者等の利用者に対して近隣の店舗情報を提供することができる。
【００６２】
なお、以上の例では、配信装置２２から直接的に表示端末装置３２ａ〜３２ｃに編集広告データＥＤを配信する場合を説明したが、本発明では、上述のように、ホテル内に、プロキシサーバとなる場所識別データＰＩＤが割り振られたホテルサーバを設置し、このホテルサーバに対して配信装置２２から編集広告データＥＤが配信されるようにし、編集広告データＥＤを受信したホテルサーバが更に、ホテルＨ内に設置された表示端末装置３２ａ〜３２ｃに配信するようにしても良い。更に、本発明では、宿泊客に応じたきめ細かな情報提供を行うために、ホテルサーバにおいて、ホテル入力装置３１より入力された客室毎の店舗や商品の情報を編集広告データＥＤに付加し、各客室の表示端末装置３２ａ〜３２ｃに配信するようにしても良い。
【００６３】
次に、表示端末装置３２ａ〜３２ｃが利用者によって操作されたときの処理手順について図１０を参照して説明する。
【００６４】
表示端末装置３２ａ〜３２ｃは、ステップＳ１１において、図９に示す表示画面の第１の広告データＡＤ１、第２の広告データＡＤ２、第３の広告データＡＤ３の何れの広告データが選択されたかを判断し、次いで、ステップＳ１２において、選択された第１の広告データＡＤ１、第２の広告データＡＤ２、第３の広告データＡＤ３の何れかを表示操作部３３に表示する。ここで、第１乃至第３の広告データＡＤ１〜ＡＤ３は、上述のように階層構造を有していることから、利用者が表示された画面を更に下層に進む選択操作を行うと、表示端末装置３２ａ〜３２ｃは、操作に応じて順次下層の広告データを表示する。表示端末装置３２ａ〜３２ｃは、その都度、ハードディスク等に表示した広告データのアドレスデータや日時データ等のログデータを記録する。なお、表示端末装置３２ａ〜３２ｃは、定期的に、ログデータを履歴管理装置２３及び／又は履歴分析装置２４にネットワーク等を介して供給するようにして、履歴分析装置２４で個々の表示端末装置３２の分析データを生成できるようにする。
【００６５】
ここで、表示端末装置３２ａ〜３２ｃは、例えば第２の広告データＡＤ２の下層の広告データに進み、ＩＣカード４０を必要とする画面が表示される。ここで、ＩＣカード４０を必要とする画面には、図１１に示すように、その一部にＩＣカード４０をかざすカード領域３３ａが表示される。このカード領域３３ａは、表示操作部３３の表面のＩＣカード４０と通信を行うアンテナコイル３３ｂが設けられた領域に一致させるように表示される。そして、表示端末装置３２ａ〜３２ｃは、ステップＳ１３において、第１のリーダ／ライタ３５でＩＣカード４０と誘導結合によって磁気的に結合したかを判断することによって、ＩＣカード４０がかざされたかどうかを判断する。
【００６６】
なお、カード領域３３ａは、ＩＣカード４０がかざされたとき、その周囲が例えば点灯されることによって、アクティブ状態、すなわち通信中であることを利用者に知らせるようにしても良い。また、カード領域３３ａは、利用者によって商品購入がされたとき、硬貨同士が当たったときの音のような効果音を放音するようにしても良い。
【００６７】
なお、アンテナコイル３３ｂとカード領域３３ａとの位置が不一致のときにも、表示端末装置３２ａ〜３２ｃは、第１のリーダ／ライタ３５で、カード領域３３ａのアンテナコイル３３ｂとＩＣカード４０とが誘導結合によって磁気的に結合したかによって、ＩＣカード４０がかざされたかどうかを判断する。
【００６８】
ステップＳ１４において、表示端末装置３２ａ〜３２ｃは、第１のリーダ／ライタ３５で通信を行うＩＣカード４０が第１のＩＣカード４０ａかどうか、すなわちＩＣカード４０の種類を判断する。図５に示すように、第１のＩＣカード４０ａには、会員データ領域４２が無いからである。ここで、例えば、表示端末装置３２ａ〜３２ｃは、ＩＣカード４０の種類を示す識別データを第１のリーダ／ライタ３５で読み出すことによってＩＣカード４０の種類を判別する。この種類の判別は、第１のＩＣカード４０ａ、第２のＩＣカード４０ｂに割り振られた種類識別データを第１のリーダ／ライタ３５参照することによって行われる。
【００６９】
表示端末装置３２ａ〜３２ｃは、通信を行うＩＣカードが第１のＩＣカード４０ａであるとき、第１のリーダ／ライタ３５で、電子マネー領域４１のメモリ識別データＭＩＤを読み出し取得する。また、表示端末装置３２ａ〜３２ｃは、通信を行うＩＣカードが第２のＩＣカード４０ｂであるとき、ステップＳ１６において、第１のリーダ／ライタ３５で、電子マネー領域４１のメモリ識別データＭＩＤ及び会員データ領域４２の会員識別データＭＤを読み出し取得する。
【００７０】
ステップＳ１７において、表示端末装置３２ａ〜３２ｃは、ネットワークを介して、履歴管理装置２３に、ＩＣカード４０の履歴データを送信する。具体的に、表示端末装置３２ａ〜３２ｃは、第１のＩＣカード４０ａのとき、電子マネー領域４１のメモリ識別データＭＩＤを履歴管理装置２３に送信する。このとき、表示端末装置３２ａ〜３２ｃは、ログとして記録している表示した広告データのアドレスデータ等をメモリ識別データＭＩＤに関連付けて履歴管理装置２３に送信するようにしても良い。これにより、匿名ではあるがメモリ識別データＭＩＤに関連付けられた分析データＤを生成することができる。また、表示端末装置３２ａ〜３２ｃは、第２のＩＣカード４０ｂのとき、電子マネー領域４１のメモリ識別データＭＩＤ及び会員データ領域４２の会員識別データＭＤ、更に、第２の履歴データＨＤ２としてログとして記録している表示した広告データのアドレスデータ等を履歴管理装置２３に送信する。かくして、履歴管理装置２３には、表示端末装置３２ａ〜３２ｃでの利用者のアクセスの履歴が蓄積されることになる。
【００７１】
次に、表示端末装置３２ａ〜３２ｃで利用者がクーポンデータＣＤを取得するまでの一連の手順について図１２を参照して説明する。
【００７２】
表示端末装置３２ａ〜３２ｃは、ステップＳ２１において、利用者の操作に応じて、第２の広告データＡＤ２又は第３の広告データＡＤ３の下層ページでクーポンデータＣＤの取得画面を表示する。ここで表示端末装置３２ａ〜３２ｃの表示操作部３３に表示されるクーポンデータＣＤの取得画面は、図１１に示したＩＣカード４０と通信を行う画面と同様で、表示操作部３３の表面のＩＣカード４０と通信を行うアンテナコイル３３ｂが設けられた領域に一致させてカード領域３３ａが表示されるものである。そして、表示端末装置３２ａ〜３２ｃは、ステップＳ２２において、クーポンデータＣＤの取得要求の操作が行われたかを判断し、クーポンデータＣＤの取得要求操作が行われたとき、ステップＳ２３において、第１のリーダ／ライタ３５でＩＣカード４０と誘導結合によって磁気的に結合したかを判断することによって、ＩＣカード４０がかざされたかどうかを判断する。
【００７３】
表示端末装置３２ａ〜３２ｃは、ＩＣカード４０を検出したとき、ステップＳ２４において、第１のリーダ／ライタ３５で通信を行うＩＣカード４０が第１のＩＣカード４０ａかどうか、すなわちＩＣカード４０の種類を判断する。図５に示すように、第１のＩＣカード４０ａには、クーポンデータＣＤを格納する記憶領域が無いからである。この種類の判別は、第１のＩＣカード４０ａ、第２のＩＣカード４０ｂに割り振られた種類識別データを第１のリーダ／ライタ３５参照することによって行われる。
【００７４】
表示端末装置３２ａ〜３２ｃは、通信を行うＩＣカードが第１のＩＣカード４０ａであるとき、ステップＳ２５において、第１のリーダ／ライタ３５で、電子マネー領域４１のメモリ識別データＭＩＤを読み出し取得すると共に、クーポンデータＣＤの取得要求をＩＣカード管理装置６１に送信する。第１のＩＣカード４０ａには、クーポンデータＣＤを記憶する領域が無く、ＩＣカード管理装置６１で管理する必要があるためである。ＩＣカード管理装置６１では、クーポンデータＣＤの取得要求を、メモリ識別データＭＩＤに関連付けてデータベースで管理する。かくして、第１のＩＣカード４０ａを所有している利用者及び第２のＩＣカード４０ｂを所有している利用者は、何時でもＩＣカード４０の取扱店ＡでクーポンデータＣＤを使用することができるようになる。また、履歴管理装置２３では、第１のＩＣカード４０ａ、第２のＩＣカード４０ｂを問わずクーポンデータＣＤの発行状況を管理する。
【００７５】
また、表示端末装置３２ａ〜３２ｃは、通信を行うＩＣカードが第２のＩＣカード４０ｂであるとき、ステップＳ２６において、第２のＩＣカード４０ｂに、クーポンデータＣＤを送信する。第２のＩＣカード４０ｂは、メモリ素子のクーポン領域４３に表示端末装置３２ａ〜３２ｃから送信されたクーポンデータＣＤを格納する。
【００７６】
ステップＳ２７において、表示端末装置３２ａ〜３２ｃは、上述した図１０のステップＳ１７と同様に、ネットワークを介して、ＩＣカード４０の使用履歴を管理するため、履歴管理装置２３に、ＩＣカード４０の履歴データを送信する。
【００７７】
次に、利用者がＩＣカード４０で商品を購入する際の一連の手順について図１３を参照して説明する。
【００７８】
表示端末装置３２ａ〜３２ｃの第１のリーダ／ライタ３５及びＩＣカード４０の取扱店Ａの店舗端末装置５１の第２のリーダ／ライタ５２は、ステップＳ３１において、ＩＣカード４０と誘導結合によって磁気的に結合したかを判断することによって、ＩＣカード４０がかざされたかどうかを判断する。ステップＳ３２において、第１及び第２のリーダ／ライタ３５，５２は、ＩＣカード４０の電子マネー領域４１のメモリ識別データＭＩＤを読み出し取得する。また、第１及び第２のリーダ／ライタ３５，５２は、ステップＳ３３において、利用者又は店員によって商品の購入操作が行われたかを判断する。
【００７９】
商品の購入操作が行われたとき、第１及び第２のリーダ／ライタ３５，５２は、ステップＳ３４において、通信を行うＩＣカード４０が第２のＩＣカード４０ｂであるかどうか、すなわちＩＣカード４０の種類を判断する。第２のＩＣカード４０ｂには、クーポンデータＣＤが格納されるクーポン領域４３があるのに対して第１のＩＣカード４０ａには、クーポン領域４３が設けられていないからである。この種類の判別は、第１のＩＣカード４０ａ、第２のＩＣカード４０ｂに割り振られた種類識別データを第１のリーダ／ライタ３５参照することによって行われる。
【００８０】
ここで、通信を行うＩＣカード４０がクーポン領域４３を有していない第１のＩＣカード４０ａであるとき、第１及び第２のリーダ／ライタ３５，５２は、ステップＳ３５において、ＩＣカード管理装置６１で管理されているクーポンデータＣＤの有無を確認するため、確認要求データを、メモリ識別データＭＩＤと共にＩＣカード管理装置６１に送信する。
【００８１】
ＩＣカード管理装置６１では、ステップＳ５１において、第１及び第２のリーダ／ライタ３５，５２から送信されたクーポンデータＣＤの確認要求データをメモリ識別データＭＩＤと共に受信すると、次いで、ステップＳ５２において、データベースにアクセスして、受信したメモリ識別データＭＩＤと同じメモリ識別データＭＩＤを検索する。
【００８２】
ステップＳ５３において、ＩＣカード管理装置６１は、受信したメモリ識別データＭＩＤと同じメモリ識別データＭＩＤがあるとき、メモリ識別データＭＩＤにクーポンデータＣＤが関連付けられているかを判断する。そして、ＩＣカード管理装置６１は、クーポンデータＣＤがあるとき、ステップＳ５４において、第１及び第２のリーダ／ライタ３５，５２に対してクーポンデータＣＤ有りの確認データを送信する。ＩＣカード管理装置６１は、クーポンデータＣＤ有りの確認データを送信するとき、これに合わせてクーポンデータＣＤの内容も第１及び第２のリーダ／ライタ３５，５２に送信する。
【００８３】
また、ＩＣカード管理装置６１は、クーポンデータＣＤが無いとき、ステップＳ５４において、第１及び第２のリーダ／ライタ３５，５２に対してクーポンデータＣＤ無しの確認データを送信する。第１及び第２のリーダ／ライタ３５，５２は、ステップＳ３６において、ＩＣカード管理装置６１から送信されたクーポンデータＣＤの有り又は無しの確認データを受信する。
【００８４】
第１及び第２のリーダ／ライタ３５，５２は、ステップＳ３７において、クーポンデータＣＤの有無を判断する。すなわち、第１及び第２のリーダ／ライタ３５，５２は、クーポン領域４３のある第２のＩＣカード４０ｂのとき、第２のＩＣカード４０ｂのクーポン領域４３にアクセスし、クーポンデータＣＤが無いかどうかを判断する。また、第１及び第２のリーダ／ライタ３５，５２は、クーポン領域４３の無い第１のＩＣカード４０ａのとき、ＩＣカード管理装置６１から送信された確認データに基づいてクーポンデータＣＤが無いかどうかを判断する。
【００８５】
第１及び第２のリーダ／ライタ３５，５２は、クーポンデータＣＤが無いとき、ステップＳ３８において、割引等の特典無しの通常の課金処理、すなわちＩＣカード４０の電子マネー領域４１にアクセスし、購入する商品の代金の金額分、金額データの減算処理を行うと共に、第１の履歴データＨＤ１を更新する。また、第１及び第２のリーダ／ライタ３５，５２は、クーポンデータＣＤが有るとき、ステップＳ３９において、割引等の特典有りの割引課金処理、すなわちＩＣカード４０の電子マネー領域４１にアクセスし、購入する商品の代金から割り引いた金額分、金額データの減算処理を行うと共に、第１の履歴データＨＤ１を更新する。また、クーポンデータＣＤに応じたポイント等の加算を行う。
【００８６】
ステップＳ４０において、第１及び第２のリーダ／ライタ３５，５２は、メモリ識別データＭＩＤに関連付けた第１の履歴データＨＤ１を、ＩＣカード管理装置６１に送信する。これにより、ＩＣカード管理装置６１では、データベースによって、メモリ識別データＭＩＤに関連付けて第１の履歴データＨＤ１を蓄積することができる。なお、第１のリーダ／ライタ３５は、第２のＩＣカード４０と通信を行ったとき、履歴分析装置２４に、会員データ領域４２の会員識別データＭＤや第２の履歴データＨＤ２を送信し、履歴分析装置２４でこれらのデータを管理するようにしても良い。
【００８７】
なお、上述のように、システム運営者Ｓは、第１のＩＣカード４０ａ、第２のＩＣカード４０ｂの両方に対するクーポンデータＣＤの発行状況、すなわちクーポンデータＣＤの取得要求を履歴管理装置２３で管理している。利用者が第１及び第２のリーダ／ライタ３５，５２から商品の購入を行う場合には、ＩＣカードの管理会社Ｍが管理するＩＣカード管理装置６１を介してシステム運営者Ｓが管理する履歴管理装置２３でクーポンデータＣＤを照合しクーポンデータＣＤの認証を取るようにしても良い。クーポンデータＣＤの認証が取れた場合には、履歴管理装置２３は、ＩＣカード管理装置６１に認証結果を送信し、ＩＣカード管理装置６１及び第１及び第２のリーダ／ライタ３５，５２は、ここで、クーポンデータＣＤの内容を反映させて課金処理を行う。
【００８８】
また、表示端末装置３２ａ〜３２ｃのリーダ／ライタ３５がシステム運営者Ｓが管理する履歴管理装置２３だけとネットワーク上で接続している場合にあって、第１のリーダ／ライタ３５で商品購入が行われたときには、上述の購入に関するデータを履歴管理装置２３を介してＩＣカード管理装置６１に送信するようにしても良い。
【００８９】
次に、履歴分析装置２４で分析データＤするまでの一連の手順を図１４を参照して説明する。
【００９０】
先ず、ステップＳ６１において、履歴管理装置２３には、表示端末装置３２ａ〜３２ｃからの履歴データが入力され、入力されたデータをデータベースに蓄積する。具体的に、履歴管理装置２３には、上述のステップＳ１７で表示端末装置３２ａ〜３２ｃから送信された第１のＩＣカード４０ａのメモリ識別データＭＩＤやこれに関連付けられた広告データのアドレスデータ等、更には、第２のＩＣカード４０ｂの電子マネー領域４１のメモリ識別データＭＩＤ、会員データ領域４２の会員識別データＭＤ及び第２の履歴データＨＤ２が入力される。また、ステップＳ６２において、履歴管理装置２３には、ＩＣカード管理装置６１からの履歴データが入力される。具体的に、上述のステップＳ４０でＩＣカード管理装置６１が管理しているメモリ識別データＭＩＤに関連付けた第１の履歴データＨＤ１が入力される。
【００９１】
かくして、履歴管理装置２３には、第１のＩＣカード４０ａ及び第２のＩＤ４０ｂの全ての履歴データが蓄積されることになる。すなわち、図６に示すように、履歴管理装置２３には、第１のＩＣカード４０ａ及び第２のＩＣカード４０ｂの電子マネー領域４１に格納されているメモリ識別データＭＩＤ及び第１の履歴データ並びに第２のＩＣカード４０ｂの会員データ領域４２の会員識別データＭＤ及び第２の履歴データＨＤ２が蓄積されることになる。
【００９２】
次いで、履歴管理装置２３は、所定期間が経過すると、ステップＳ６３において、蓄積したデータを履歴分析装置２４に出力する。ステップＳ６４において、履歴分析装置２４は、履歴管理装置２３から入力されたデータを受信すると、次いで、ステップＳ６５において、ホテルＨに設置された表示端末装置３２ａ〜３２ｃで取得したメモリ識別データＭＩＤと一致するＩＣカード４０の取扱店Ａに設置された店舗端末装置５１で取得したメモリ識別データＭＩＤに関連付けられている第１の履歴データＨＤ１を抽出し、分析データＤを生成する。上記図７の例では、表示端末装置３２ａ〜３２ｃからのメモリ識別データＭＩＤ「０００３」及び「０００９」が履歴管理装置２３からのメモリ識別データＭＩＤに一致する。そこで、履歴分析装置２４は、一致するメモリ識別データＭＩＤ「０００３」に関し、第１の履歴データＨＤ１（「ＢＢＢ」、「ＦＦＦ」）、会員識別データＭＤ（「Ｈ０００２」）及び第２の履歴データＨＤ２（「ＹＹＹ」）を抽出し、分析データＤを生成する。また、履歴分析装置２４は、一致するメモリ識別データＭＩＤ「０００３」に関し、第１の履歴データＨＤ１（「ＤＤＤ」、「ＨＨＨ」）、会員識別データＭＤ（「Ｈ０００４」）及び第２の履歴データＨＤ２（「ＸＹＺ」）を抽出し、分析データＤを加工・生成する。
【００９３】
そして、履歴分析装置２４は、ステップＳ６６において、分析データＤをホテル管理装置３９に出力する。ホテル管理装置３９では、分析データＤを閲覧し、更に分析することによって、ホテルＨの利用者の行動パターンを分析することができる。
【００９４】
例えば、図７（Ｃ）に示す分析データＤによれば、ホテルＨは、メモリ識別データＭＩＤ「０００３」に関連付いている会員識別データＭＤ「Ｈ０００２」によって、利用者の氏名、年齢、住所等の個人情報を得ることができ、更に、第２の履歴データＨＤ２「ＹＹＹ」によって、編集広告データＥＤの中でどの広告に興味を持ったかを知ることができ、更に、第１の履歴データＨＤ１「ＢＢＢ」、「ＦＦＦ」によって、ホテルＨからどれくらい離れた店舗を訪れ又商品を購入したかを知ることができ、これによって、例えば、ホテルＨの生成する関連データＲＤの内容や編集広告データＥＤに含まれる第２の広告データＡＤ２や第３の広告データＡＤ３の内容を決めることができる。すなわち、ホテルＨとしては、ホテルＨの利用者、更に具体的には場所識別データＰＩＤで特定される表示端末装置３２ａ〜３２ｃを利用した利用者の行動パターンを分析データＤによって知ることができる。そして、例えば、広告主Ｂ及び広告主Ｃは、ホテルＨの周辺５００ｍのものであったが、利用者の行動範囲がこれより広い場合には、広告主Ｂや広告主Ｃを更に広い範囲から選ぶことができる。
【００９５】
以上、ホテルＨに分析データＤを提供するためのデータ処理システム１を例に取り説明したが、本発明は、これに限定されるものではない。例えば、表示端末装置３２ａ〜３２ｃを駅等の公共場所に複数設置し、分析データＤを、駅近隣の第２の広告主Ｂや第３の広告主Ｃに提供するようにしても良い。これにより、例えば、第２の広告主Ｂや第３の広告主Ｃは、駅に設置された表示端末装置３２ａ〜３２ｃの利用者の行動履歴等を知ることができる。
【００９６】
ところで、先に図４を用いて説明したように、表示端末装置３２は、大画面の表示端末装置３２ｄをホテルＨのロビー等の公共の場所に設置し、大勢の人が一度に広告データを見ることができるようにし、客室に宿泊客個人が見られる程度の小画面の表示端末装置３２ｅを設置するようにする。そして、小画面の表示端末装置３２ｅには、図１１に示すようなアンテナコイル３３ｂが設けられたカード領域３３ａを設けるようにする。そして、大画面の表示端末装置３２ｄには、第１のリーダ／ライタ３５を設けないようにし、プッシュ型の広告端末の専用機にしても良い。この場合においても、何れの表示端末装置３２ｄ，３２ｅは、ログを記録し、履歴管理装置２３にそのログデータ供給するようにしている。このログデータの一例を、図１５に示す。大画面の表示端末装置３２ｄは、図１５（Ａ）に示すようなログデータを記録し、履歴管理装置２３に送信する。大画面の表示端末装置３２ｄは、上述のように、第１のリーダ／ライタ３５を設けていない。したがって、履歴管理装置２３に送信されるログデータとしては、各広告データの再生開始時間、再生終了時間、繰り返し回数がログデータとして、履歴管理装置２３に送信されることになる。この図１５（Ａ）のログデータは、各広告主Ａ〜Ｃへの広告が一行われたかを示す確認用のデータとなる。
【００９７】
図１５（Ｂ）は、小画面の表示端末装置３２ｅのログデータを示している。小画面の表示端末装置３２ｅは、第１のリーダ／ライタ３５が設けられていることから、ＩＣカード４０の使用履歴、クーポンデータＣＤの取得状況等の更に詳細な情報となる。そして、小画面の表示端末装置３２ｅは、図１５（Ｂ）に示すようなログデータを記録し、履歴管理装置２３に送信する。この図１５（Ｂ）のログデータは、図１５（Ａ）と同様の各広告データの再生開始時間、再生終了時間、繰り返し回数の他に、ＩＣカード４０がかざされた回数（操作履歴）、メモリ識別データＭＩＤ毎のクーポン取得履歴、メモリ識別データＭＩＤ毎のクーポンの使用の有無を含む購入履歴となっている。分析データＤは、クーポン取得履歴や購入履歴を元に履歴管理装置２３で生成されることになる。
【００９８】
また、表示端末装置３２や店舗端末装置５１で商品が購入されたとき、その履歴データＨＤ１，ＨＤ２は図１６に示すようになる。すなわち、この履歴データでは、メモリ識別データＭＩＤに関連付けられて商品が購入された日時、すなわち商品購入のためＩＣカード４０が第１又は第２のリーダ／ライタ３５，５２にかざされた日時と、使用されたクーポンの識別データと、金額データＶＤの履歴（減算額（商品の代金）と残高）が含まれることになる。図１６の例では、メモリ識別データＭＩＤに関連付けられて使用されたクーポンの識別データ等が管理されることから、メモリ識別データＭＩＤ毎の商品購入履歴を知ることができ、例えば、クーポンデータＣＤを発行することに対する売上効果を分析できることになる。
【００９９】
また、履歴分析装置２４では、以上のような履歴データを集計することによって例えば図１７に示すような分析データＤを生成することもできる。図１７は特定のクーポンデータＣＤの各店舗での利用頻度を時間帯別に示したものである。これにより、例えば、特定のクーポンデータＣＤがどの店舗のどの時間帯に多く利用されているかを見ることができる。
【０１００】
また、以上の例は、ホテルＨを中心とした地域のシステムを例に取り説明したが、更に、地理的範囲を広げると、図１８に示すような場面に本発明を適用することができる。例えば、図１８の例では、表示端末装置３２が設置される場所として、大規模店舗ＬＳと駅の構内ＳとコンビニエンスストアＣＳとがある。そして、表示端末装置３２の各設置場所ＬＳ，Ｓ，ＣＳには、図４に示したような大画面の表示端末装置３２と小画面の表示端末装置３２ｅが複数設置されている。なお、コンビニエンスストアＣＳは、上述の例のＩＣカード４０の加盟店Ａに相当するものであり、店舗端末装置５１が更に設置されている。そして、編集広告データＥＤや個々場所での広告データは、各設置場所ＬＳ，Ｓ，ＣＳに応じて定められている。すなわち、上述の例で言うホテルＨに相当するものが大規模店舗ＬＳと駅の構内Ｓであり、これら設置場所に応じて種類の異なる広告データが流されることになる。したがって、配信装置２２には、一度に表示端末装置３２からのアクセスがあることになり、通信負荷が極めて多くなってしまう。そこで、各設置場所ＬＳ，Ｓ，ＣＳには、複数の表示端末装置３２がＬＡＮで中継サーバ装置７１と接続されている。中継サーバ装置７１は、例えばプロキシサーバであり、表示端末装置３２を代理して表示端末装置３２で流される広告データのダウンロードを行う。なお、この中継サーバ装置７１と配信装置２２とは、ＷＡＮ等のネットワークで接続されている。また、この例では、中継サーバ装置７１が１万台程度設置されることを想定している。そして、各中継サーバ装置７１には、表示端末装置３２が２０台程度接続されることを想定している。
【０１０１】
また、各広告主Ａ〜Ｃの広告入力端末装置１０ａ〜１０ｃも、広告データを編集装置２１に入力するためＷＡＮ等のネットワークを介して配信装置２２及び／又は編集装置２１と接続されている。
【０１０２】
ここで、図１８のシステムで用いられる配信装置２２について図１９を参照して説明する。この配信装置２２は、編集装置２１から第１乃至第３の広告データＡＤ１〜ＡＤ３が入力される入力部９１と、入力部９１より入力された第１乃至第３の広告データＡＤ１〜ＡＤ３等の広告データが蓄積される広告データ蓄積部９２と、広告データ蓄積部９２に蓄積された広告データの表示端末装置３２での再生スケジュールを格納する再生スケジュール格納部９３と、再生スケジュール格納部９３に格納された再生スケジュールに変更か合ったかを判断する判断部９４と、ＷＡＮ等のネットワークを介して大規模店舗ＬＳ、駅の構内Ｓ、コンビニエンスストアＣＳの中継サーバ装置７１と通信する通信Ｉ／Ｆ９５とを備える。
【０１０３】
入力部９１は、通信Ｉ／Ｆ等であり、編集装置２１より、編集装置２１で編集された各種広告データや広告データの再生スケジュール等が入力される。
【０１０４】
図２０を参照して、入力部９１より入力されて広告データ蓄積部９２に蓄積される広告データについて説明する。図２０（Ａ）に示すように、クーポンデータＣＤを含まない、例えば、ＩＣカード４０のリーダ／ライタ機能を備えていない大画面の表示端末装置３２ｄに配信される広告データ９６は、広告データ本体９６ａと、配信される大画面の表示端末装置３２ｄのＩＤ９６ｂと、広告表示開始時刻９６ｃと、広告表示終了時刻９６ｄと、広告表示回数９６ｅとで構成されている。そして、この広告データ９６の内、配信される大画面の表示端末装置３２ｄのＩＤ９６ｂと、広告表示開始時刻９６ｃと、広告表示終了時刻９６ｄと、広告表示回数９６ｅが再生スケジュールとなっている。広告データ蓄積部９２には、例えば、編集装置２１で生成されたこのような広告データ９６が蓄積されることになる。
【０１０５】
また、図２０（Ｂ）に示すように、クーポンデータＣＤを含む、例えばリーダ／ライタ機能を備えた小画面の表示端末装置３２ｅに配信される広告データ９７は、クーポンデータＣＤを含む広告データ本体９７ａと、配信される小画面の表示端末装置３２ｅのＩＤ９７ｂと、クーポンを含む広告表示開始時刻９７ｃと、クーポンを含む広告表示終了時刻９７ｄと、広告データに含まれるクーポンデータＣＤのＩＤ９７ｅとで構成されている。なお、更に、広告表示回数９６ｅが含まれていても良い。そして、この広告データ９７の内、配信される小画面の表示端末装置３２ｅのＩＤ９７ｂと、クーポンを含む広告表示開始時刻９７ｃと、クーポンを含む広告表示終了時刻９７ｄと、広告データに含まれるクーポンデータＣＤのＩＤ９７ｅとが再生スケジュールとなっている。広告データ蓄積部９２には、例えば、編集装置２１で生成されたこのような広告データ９７が蓄積されることになる。
【０１０６】
また、広告データ蓄積部９２に蓄積する広告データとしては、図２０（Ａ）及び図２０（Ｂ）に示した広告データ９６，９７の内、広告データ本体９６ａ，９７ａのみであっても良い。この場合、各広告データ本体９６ａ，９７ａの再生時刻等の再生スケジュールが不明となる。そこで、この場合には、編集装置２１より各広告データ本体９６ａ，９７ａの再生スケジュールが入力部９１を介して再生スケジュール格納部９３に格納されることになる。この再生スケジュール格納部９３に格納される再生スケジュールは、例えば図２１に示すように構成されている。図２１に示す再生スケジュール９８は、複数の広告データの再生リストとなっており、各広告データの所在を示すＵＲＬ（Uniform Resource Locator）と、各広告データの広告表示開始時刻と広告表示終了時刻とで構成されている。そして、このような再生リストとなっている再生スケジュール９８は、編集装置２１で作成され、入力部９１を介して再生スケジュール格納部９３に格納されることになる。
【０１０７】
表示端末装置３２で表示される広告データは、常に同じではなく、１日、１週間、１箇月に一度と言ったように更新されるものである。そこで、配信装置２２は、判断部９４を備えることによって、再生スケジュール格納部９３に格納された再生スケジュール９８に変更があったかどうかを判断するようにしている。なお、この判断部９４は、図２０に示すように広告データが再生スケジュールを含む構成となっているときには、広告データ蓄積部９２にアクセスして、再生スケジュールの部分に変更があったかどうかを判断する。そして、配信装置２２は、再生スケジュールに変更があったとき、中継サーバ装置７１やその先の表示端末装置３２に告知するようにする。
【０１０８】
通信Ｉ／Ｆ９５は、ＴＣＰ／ＩＰ（Transmission Control Protocol/Internet Protocol）と言ったネットワークプロトコルに従って中継サーバ装置７１との間で通信を行う。この際、通信Ｉ／Ｆ９５は、中継サーバ装置７１のステータスの確認、更には、中継サーバ装置７１にＬＡＮで接続された表示端末装置３２のステータス確認を定期的に行い、この一連の動作の中で、例えば図２０に示した広告データ９６，９７や図２１に示した再生スケジュール９８を中継サーバ装置７１に配信するようにしている。また、通信Ｉ／Ｆ９５は、常時通信負荷、すなわちアクセスしている中継サーバ装置７１の台数等を監視しており、図２０に示した広告データ９６，９７や図２１に示した再生スケジュール９８を配信するに当たって、通信負荷が所定値より小さいときに限って、図２０に示した広告データ９６，９７や図２１に示した再生スケジュール９８の配信を行うようにしている。
【０１０９】
次に、各設置場所ＬＳ，Ｓ，ＣＳのフロントエンドに配置される中継サーバ装置７１の構成について図２２を参照して説明する。
【０１１０】
図２２に示すように、中継サーバ装置７１は、ＷＡＮ等のネットワークを介して配信装置２２と通信を行う通信Ｉ／Ｆ７２と、配信装置２２から送信された表示端末装置３２で表示する広告データを蓄積する広告データ蓄積部７３と、配信装置２２から送信された再生スケジュールを格納する再生スケジュール格納部７４と、再生スケジュール格納部７４に格納された再生スケジュールに変更か合ったかを判断する判断部７５と、表示端末装置３２にＬＡＮを介して広告データ等を配信する通信Ｉ／Ｆ７６と、再生スケジュール格納部７４に格納された再生スケジュール９８に従って配信装置２２より広告データをダウンロードするスケジュールを生成するダウンロードスケジュール生成部７７と、表示端末装置３２のステータスを格納するステータス格納部７８と、表示端末装置３２での履歴データを格納する履歴データ蓄積部７９とを備える。
【０１１１】
通信Ｉ／Ｆ７２は、定期的に、自身のステータスと共に表示端末装置３２のステータスを配信装置２２にＷＡＮ等のネットワークを介して送信する。また、通信Ｉ／Ｆ７２は、ダウンロードスケジュール生成部７７で生成されたダウンロードスケジュールに従って広告データを配信装置２２よりダウンロードする。
【０１１２】
広告データ蓄積部７３には、表示端末装置３２で表示する広告データが蓄積される。表示端末装置３２は、図２２に示すように、広告データ記憶部３２ｆを有しているが、中継サーバ装置７１程に記憶部の容量を有していないため、随時、広告データ蓄積部７３より所定の広告データをダウンロードして上述した表示操作部３３等の表示部３２ｈに表示する。この広告データ蓄積部７３に蓄積される広告データは、表示端末装置３２で表示される広告データであり、図２０に示した広告データ９６，９７の再生スケジュールや図２１に示した再生スケジュール９８に従って表示端末装置３２に所定の広告データを供給する。
【０１１３】
再生スケジュール格納部９３に格納される再生スケジュールは、上述した図２１に示すものであり、配信装置２２より送信されたものである。判断部７５は、再生スケジュール格納部９３に格納された再生スケジュール９８に変更があったかどうかを判断するようにし、変更があったときには、表示端末装置３２に告知するようにしている。表示端末装置３２は、図２２に示すように、再生スケジュール記憶部３２ｇを有しており、再生スケジュール記憶部３２ｇには、常時、最新の再生スケジュール９８が格納され、この再生スケジュール９８に従って広告データが表示部３２ｈに表示されるようにしている。なお、この判断部７５は、図２０に示すように広告データが再生スケジュールを含む構成となっているときには、広告データ蓄積部７３にアクセスして、再生スケジュールの部分に変更があったかどうかを判断する。
【０１１４】
通信Ｉ／Ｆ７６は、ＴＣＰ／ＩＰをベースにしたＬＡＮ等のネットワークを介して各表示端末装置３２と通信を行う。この際、通信Ｉ／Ｆ７６は、表示端末装置３２のステータスの確認を定期的に行い、この一連の動作の中で、表示端末装置３２が例えば図２０に示した広告データ９６，９７や図２１に示した再生スケジュール９８のダウンロードを行うようになっている。また、通信Ｉ／Ｆ７６は、常時通信負荷、すなわちアクセスしている表示端末装置３２の台数等を監視しており、表示端末装置３２が広告データ蓄積部７３の図２０に示した広告データ９６，９７や再生スケジュール格納部７４に格納された図２１に示した再生スケジュール９８をダウンロードするに当たって、通信負荷が所定値より小さいときに限って行うことができるようにしている。
【０１１５】
ダウンロードスケジュール生成部７７は、図２０に示した広告データ９６，９７の再生スケジュールや再生スケジュール格納部７４に格納されている再生リストに基づいて、広告データ蓄積部７３に蓄積する広告データのダウンロードスケジュールを組み立てる。ダウンロードスケジュール生成部７７は、例えば、再生リストに挙げられている広告データの中で最先に再生されるスケジュールの広告データからダウンロードを行うような計画を生成する。そして、通信Ｉ／Ｆ７２は、生成されたダウンロードスケジュールに従って順次広告データを配信装置２２よりダウンロードを行うようにする。
【０１１６】
ステータス格納部７８は、表示端末装置３２から送信された該表示端末装置３２のステータス通知を一時的に保存し、表示端末装置３２のステータスを配信装置２２に送信できるようにする。ここで、表示端末装置３２のステータス通知には、例えば表示端末装置３２のメモリの残容量、操作部３４、表示操作部３３、第１のリーダ／ライタ３５等の故障等のステータスが記録されている。中継サーバ装置７１は、表示端末装置３２のステータスを配信装置２２に送信するようにして、表示端末装置３２の状態をシステム運営者Ｓが把握できるようにする。システム運営者Ｓが確実に広告が行われているかどうかを知るためである。そして、通信Ｉ／Ｆ７２は、配信装置２２に対して表示端末装置３２のステータスと共に中継サーバ装置７１のステータスを配信装置２２に送信する。
【０１１７】
履歴データ蓄積部７９は、各表示端末装置３２から送信された図１５や図１６のログデータを記録し、所定期間毎に、通信Ｉ／Ｆ７２よりこれらのログデータを履歴管理装置２３に送信するようにする。具体的に、表示端末装置３２は、図２２に示すように、履歴記憶部３２ｉに格納された履歴データＨＤ１，ＨＤ２等を中継サーバ装置７１に対して送信し、これらのデータを、中継サーバ装置７１は、履歴データ蓄積部７９に蓄積する。
【０１１８】
以上のように、中継サーバ装置７１は、広告データを広告データ蓄積部７３に蓄積するようにし、ここから、表示端末装置３２が広告データを必要に応じてダウンロードするようにしたので、表示端末装置３２が配信装置２２に直接アクセスすることが無くなり、配信装置２２の通信負荷を減らすことができる。また、ダウンロードスケジュール生成部７７は、再生スケジュール９８に従って広告データを広告データ蓄積部７３にダウンロードするようにしたので、一度に、中継サーバ装置７１が配信装置２２にアクセスすることも無くなり、この点からも、配信装置２２の通信負荷を減らすことができる。すなわち、広告データは、配信に当たって通信速度が安定しないＷＡＮを利用しているが、このシステムでは、配信装置２２への集中が防止されていることから、確実に表示端末装置３２で広告データが表示されることになる。
【０１１９】
ここで、先ず、表示端末装置３２のステータスが中継サーバ装置７１に格納される手順を図２３を参照して説明する。これは、配信装置２２を管理しているシステム運営者Ｓに対して表示端末装置３２の動作状況等を報告するためである。
【０１２０】
ステップＳ９１において、表示端末装置３２は、常時又は定期的に、第１のリーダ／ライタ３５の動作状況や広告データを保存するメモリ等の容量不足や故障かどうかのステータスを確認し、このステータス通知を、中継サーバ装置７１に対して送信する。
【０１２１】
ステップＳ９２において、中継サーバ装置７１は、通信Ｉ／Ｆ７６でステータス通知を受信すると、ステップＳ９３において、受信したステータス通知をステータス格納部７８に格納する。そして、中継サーバ装置７１は、ステップＳ９４において、表示端末装置３２に対して、ステータス通知の受信結果と次回のステータス通知の時間の情報を、通信Ｉ／Ｆ７６より送信する。かくして、表示端末装置３２は、常時又は定期的に、中継サーバ装置７１に対してステータスを報告するようにしている。
【０１２２】
次に、配信装置２２と中継サーバ装置７１との間で行われる再生スケジュール及び広告データのやり取りの手順を図２４を参照して説明する。
【０１２３】
ステップＳ７１において、中継サーバ装置７１は、定期的に、通信Ｉ／Ｆ７２より配信装置２２に対してステータス通知を送信する。ここで、中継サーバ装置７１は、ステータス通知に、自身の広告データ蓄積部７３の空き容量不足のエラー情報等を含める他に、ステータス格納部７８に格納されている表示端末装置３２のメモリの空き容量不足やＩＣカード４０のリーダ／ライタ機能の不良等のステータス情報を含め、これらを一のステータス通知として配信装置２２に送信する。
【０１２４】
ステップＳ７２において、配信装置２２は、通信Ｉ／Ｆ９５で、中継サーバ装置７１からのステータス通知を受信したことを検出すると、ステップＳ７３において、ステータス通知の受信結果と次回のステータス通知の時間の情報を、通信Ｉ／Ｆ９５より送信する。
【０１２５】
ステップＳ７４において、配信装置２２は、編集装置２１より新たな広告データの再生スケジュールが入力され、再生スケジュールに変更があったかを判断部９４で判断し、変更があったとき、ステップＳ７６に進む。
【０１２６】
ステップＳ７５において、中継サーバ装置７１では、次回のステータス通知の時間になると、ステップＳ７１と同様のステータス通知を配信装置２２に通信Ｉ／Ｆ７２より送信する。ステップＳ７６において、配信装置２２は、通信Ｉ／Ｆ９５で、中継サーバ装置７１から送信されたステータス通知を受信したかを判断し、受信したとき、ステップＳ７７に進む。
【０１２７】
ステップＳ７７において、配信装置２２は、ステータス通知の受信結果と次回のステータス通知の時間の情報に加えて、再生スケジュールの更新通知を、通信Ｉ／Ｆ９５より送信する。
【０１２８】
中継サーバ装置７１は、通信Ｉ／Ｆ７２で、配信装置２２から送信された再生スケジュールの更新通知を受信すると、ステップＳ７８において、再生スケジュールを取得するため、配信装置２２に対して再生スケジュールの取得要求を通信Ｉ／Ｆ７２より送信する。なお、この再生スケジュールの取得要求もステータス通知と共に行うようにしても良い。
【０１２９】
配信装置２２は、ステップＳ７９において、常時、通信負荷が所定値より大きいかを判断している。具体的に、配信装置２２は、通信Ｉ／Ｆ９５にアクセスしている中継サーバ装置７１の台数が閾値より大きいかで判断する。そして、配信装置２２は、通信負荷が所定値より小さきとき、ステップＳ８０において、通信Ｉ／Ｆ９５より、更新後の再生スケジュール９８を、中継サーバ装置７１に対して送信する。
【０１３０】
ステップＳ８１において、中継サーバ装置７１は、通信Ｉ／Ｆ７２で変更後の再生スケジュール９８を受信すると、これを、再生スケジュール格納部７４に格納する。
【０１３１】
なお、以上の例では、図２１の再生スケジュール９８のやり取りを例に取り説明したが、図２０に示すように広告データに再生スケジュールが一体的の場合は、再生スケジュール９８の送信のときに、図２０の広告データ９６，９７を送信するようにする。
【０１３２】
ステップＳ８２において、中継サーバ装置７１は、ダウンロードスケジュール生成部７７が再生スケジュール格納部７４の再生スケジュール９８を参照することによって、変更後の再生スケジュール９８に従った広告データのダウンロードスケジュールを生成する。具体的に、ダウンロードスケジュール生成部７７は、図２０に示した広告データ９６，９７の再生スケジュールや再生スケジュール格納部７４に格納されている再生リストに基づいて、広告データ蓄積部７３に蓄積する広告データのダウンロードスケジュールを組み立てる。ダウンロードスケジュール生成部７７は、例えば、再生リストに挙げられている広告データの中で最先に再生されるスケジュールの広告データからダウンロードを行うような計画を生成する。
【０１３３】
そして、中継サーバ装置７１は、ダウンロードスケジュールに規定された時刻になると、ステップＳ８３において、配信装置２２に対してダウンロード要求を送信する。配信装置２２は、ここでも、ステップＳ８４において、ステップＳ７９と同様に、通信負荷が所定値より大きいかを判断している。そして、配信装置２２は、通信負荷が所定値より大きくないとき、ステップＳ８５において、中継サーバ装置７１のダウンロード要求に応じる処理を行う。すなわち、中継サーバ装置７１は、ダウンロード要求に応じた広告データをダウンロードする。そして、中継サーバ装置７１は、ステップＳ８６において、ダウンロードした広告データを順次広告データ蓄積部８６に蓄積する。
【０１３４】
次に、中継サーバ装置７１と表示端末装置３２との間で行われる再生スケジュール及び広告データのやり取りの手順を図２５を参照して説明する。
【０１３５】
中継サーバ装置７１は、ステップＳ１０１において、配信装置２２から送信された再生スケジュール９８によって、現在格納している再生スケジュール９８に変更があったかどうかを判断部７５で判断し、変更があったとき、ステップＳ１０３に進む。
【０１３６】
一方、表示端末装置３２は、ステップＳ１０２において、定期的に、上記ステップＳ９１と同様、ステータス通知を中継サーバ装置７１に対して送信する。中継サーバ装置７１は、ステップＳ１０３において、通信Ｉ／Ｆ７６で、表示端末装置３２からのステータス通知を受信したかを判断し、受信したとき、ステップＳ１０４において、ステータス通知をステータス格納部７８に格納すると共に、ステータス通知の受信結果と次回のステータス通知の時間の情報に加えて、再生スケジュールの更新通知を、表示端末装置３２を通信Ｉ／Ｆ７６より送信する。
【０１３７】
表示端末装置３２は、中継サーバ装置７１から送信された再生スケジュールの更新通知を受信すると、ステップＳ１０５において、変更後の再生スケジュールを取得するため、中継サーバ装置７１に対して再生スケジュールの取得要求を送信する。なお、この再生スケジュールの取得要求もステータス通知と共に行うようにしても良い。
【０１３８】
中継サーバ装置７１は、ステップＳ１０６において、常時、通信負荷が所定値より大きいかを判断している。そして、中継サーバ装置７１通信負荷が所定値より小さきとき、ステップＳ１０７において、通信Ｉ／Ｆ７６より、更新後の再生スケジュール９８を、表示端末装置３２に対して送信する。
【０１３９】
表示端末装置３２は、ステップＳ１０８において、変更後の再生スケジュール９８を受信すると、これを再生スケジュール記憶部３２ｇに格納する。そして、表示端末装置３２は、再生スケジュール記憶部３２ｇに格納された再生スケジュールに従って、随時、中継サーバ装置７１の広告データ蓄積部７３より広告データをダウンロードして、表示部３２ｈに広告データを表示する。ここで、表示端末装置３２は、例えば、一の広告データが再生中のときに、次に再生する広告データを中継サーバ装置７１よりダウンロードし、ダウンロードした広告データを広告データ記憶部３２ｆに保存し、次の広告データの再生に備えるようにする。
【０１４０】
次に、図２６を参照して、表示端末装置３２に蓄積された履歴データを中継サーバ装置７１を介してシステム運営者Ｓが管理する履歴管理装置２３に送信するまでの一連の手順を説明する。
【０１４１】
ステップＳ１１１において、中継サーバ装置７１は、表示端末装置３２の履歴データＨＤ１，ＨＤ２を回収するための所定期間、例えば１５分、３０分、１時間、１日と言った期間を経過したかどうかを判断し、この所定期間を経過したとき、履歴データを回収するモードとなる。
【０１４２】
ステップＳ１１２において、表示端末装置３２は、定期的に、ステータス通知を中継サーバ装置７１に対して送信する。中継サーバ装置７１は、ステップＳ１１３において、通信Ｉ／Ｆ７６で、表示端末装置３２からのステータス通知を受信したかを判断し、受信したとき、ステップＳ１１４において、ステータス通知をステータス格納部７８に格納すると共に、ステータス通知の受信結果と次回のステータス通知の時間の情報に加えて、表示端末装置３２の履歴記憶部３２ｉに格納されている履歴データの取得要求を、通信Ｉ／Ｆ７６より送信する。
【０１４３】
表示端末装置３２は、中継サーバ装置７１より送信された履歴データの取得要求を受信すると、ステップＳ１１５において、履歴記憶部３２ｉに格納されている履歴データを読み出し、中継サーバ装置７１に送信する。そして、中継サーバ装置７１は、ステップＳ１１６においいて、通信Ｉ／Ｆ７６で受信した履歴データを履歴データ蓄積部７９に蓄積する。
【０１４４】
次に、中継サーバ装置７１が履歴データを履歴管理装置２３に送信する場合を説明する。この処理は、例えば１日に１回行われる。先ず、ステップＳ１１７において、中継サーバ装置７１は、通信Ｉ／Ｆ７２を介して履歴管理装置２３に対して認証要求を送信する。ここでは、中継サーバ装置７１と履歴管理装置２３との間は、公衆回線を利用したＷＡＮであり、不正にデータを第三者に取得されるおそれがあるため、履歴データのやり取りに先立って認証をするためである。ステップＳ１１８において、履歴管理装置２３は、中継サーバ装置７１から送信された認証要求を受信し、中継サーバ装置７１の認証が取れると、認証通知を中継サーバ装置７１に対して送信する。これにより、中継サーバ装置７１は、履歴管理装置２３によって認証されたことになる。
【０１４５】
次いで、ステップＳ１１９において、中継サーバ装置７１は、履歴データ蓄積部７９より履歴データを読み出して、通信Ｉ／Ｆ７２を介して履歴データを履歴管理装置２３に送信する。そして、履歴管理装置２３は、ステップＳ１２０において、中継サーバ装置７１に対して履歴データの受信完了通知を送信する。なお、この受信完了通知は、中継サーバ装置７１を介して更に表示端末装置３２に送信するようにしても良い。かくして、履歴管理装置２３は、表示端末装置３２での履歴データを取得でき、分析データを生成できるようになる。
【０１４６】
ところで、図１８に示すように、配信装置２２と各設置場所ＬＳ，Ｓ，ＣＳのフロントエンドに配置される中継サーバ装置７１との間は、公衆回線網を使って接続したＷＡＮ等のネットワークを介して接続されているため、ＳＳＬ等で回線をセキュアな状態としている。また、配信装置２２や編集装置２１と第１乃至第３の広告入力装置１０ａ〜１０ｃとの間も、公衆回線網を使って接続したＷＡＮ等のネットワークを介して接続されているため、ＳＳＬ等でセキュアな状態にされている。更に、中継サーバ装置７１と表示端末装置３２との間は、ＬＡＮであるが、不特定多数の者が集まる公共施設である。そこで、中継サーバ装置７１と表示端末装置３２との間もＳＳＬ等でセキュアな状態にされている。このように、図１８に示すシステムでは、装置間のネットワークにＳＳＬを利用することによって所謂なりすましによってデータ不正に第三者に取得されることを防止している。
【０１４７】
そこで、図２７を用いて、広告データ等のデータ伝送を行うに当たって、ＳＳＬを用いた認証処理を説明する。ここで、説明する第１の装置と第２の装置は、図１８に表された装置であり、伝送するデータの種類に応じて配信装置２２、編集装置２１、中継サーバ装置７１、表示端末装置３２等が第１の装置と第２の装置に当てはまることになる。また、第１の装置１０１と第２の装置１０２には、内蔵であっても良いが、ここでは外付けで認証デバイス１００が取り付けられる。この認証デバイス１００は、図２７（Ａ）に示すように、一意性が保証されたセキュアなＲＯＭ１００ａを有しいる。このＲＯＭ１００ａには、ＰＫＩ(Public Key Infrastructure)における電子証明書１００ｂと公開鍵１００ｃと秘密鍵１００ｄの各データが、機器固有のものとして格納されている。ここで、公開鍵１００ｃと秘密鍵１００ｄは、どちらか一方の鍵で暗号化されたデータはもう一方の鍵でなければ復号できないという関係であり、かつ、どちらか一方の鍵からもう一方の鍵を想定することができない性格を持つペアのデータである。
【０１４８】
図２７（Ｂ）に示すように、第２の装置１０２が広告データ等を第１の装置１０１から取得する際は、先ず、ステップＳ１３１において、第１の装置１０１と第２の装置１０２との間でＳＳＬ通信に関する仕様の確認を行い、次に、ステップＳ１３２において、第１の装置１０１から該第１の装置１０１の機器認証デバイス１００内に格納されている電子証明書１００ｂと公開鍵１００ｃを第２の装置１０２へ送信する。
【０１４９】
第２の装置１０２では、受け取った電子証明書１００ｂを確認することで、通信相手である第１の装置１０１であることを認証し、次に送信された公開鍵１００ｃ使って、自身の、すなわち第２の装置１０２の機器認証デバイス１００に格納されている秘密鍵１００ｄを暗号化し、暗号化秘密鍵１００ｅを生成する。更に、第２の装置１０２は、ステップＳ１３３において、生成した暗号化秘密鍵１００ｅと、第２の装置１０２の機器認証デバイス１００の電子証明書１００ｂを第１の装置１０１へ送信する。
【０１５０】
そして、第１の装置１０１は、受け取った電子証明書１００ｂを確認し、通信相手が第２の装置１０２であることを認証し、次に送信された暗号化秘密鍵１００ｅを、第１の装置１０１の機器認証デバイス１００内に格納されている秘密鍵１００ｄを使って復号化し、第２の装置１０２の秘密鍵１００ｄを生成する。そして、上述のように、第２の装置１０２と第１の装置１０１とは、暗号化された通信を使用しながら両者で共通の秘密鍵１００ｄを得ることができ、この秘密鍵１００ｄを使って広告データ等のデータ通信を行うことができる。
【０１５１】
図２８（Ａ）には、ＳＳＬを用いて再生スケジュールを配信装置２２から中継サーバ装置７１へ配信するときの処理を示す。配信装置２２から再生スケジュールを中継サーバ装置７１へ送信するときは、ステップＳ１４１において配信装置２２内で、再生スケジュールをハッシュ計算して得られた結果データを、ステップＳ１４２で秘密鍵１００ｄで暗号化し、暗号化した再生スケジュールを、ステップＳ１４３で再生スケジュール電子署名とし、ステップＳ１４４で再生スケジュールを秘密鍵１００ｄで暗号化したデータと共に中継サーバ装置７１へ送信する。
【０１５２】
中継サーバ装置７１では、受け取った暗号化された再生スケジュールをステップＳ１４５において、秘密鍵１００ｄで復号化してステップＳ１４６で再生スケジュールを得て、更に、このデータをステップＳ１４７でハッシュ計算し、結果データを生成する。また、中継サーバ装置７１は、ステップＳ１４８で配信装置２２から受け取った再生スケジュール電子署名をステップＳ１４９において秘密鍵１００ｄで復号化し、ステップＳ１５０で復号化データを生成する。こうしてステップＳ１４４で得られたハッシュ計算での結果データとステップＳ１５０の復号化データは、通信途中で改ざんやデータ化け等が起こっていなければ一致するはずであり、これを比較／検証することで通信路の安全が保証される。
【０１５３】
図２８（Ｂ）には、ＳＳＬを用いて広告データを配信装置２２から中継サーバ装置７１へ配信するときの処理を示す。配信装置２２から広告データを中継サーバ装置７１へ送信するときは、ステップＳ１５１において配信装置２２内で、広告データをハッシュ計算して得られた結果データを、ステップＳ１５２で秘密鍵１００ｄで暗号化し、暗号化した広告データを、ステップＳ１５３で広告データ電子署名とし、ステップＳ１５４で広告データを秘密鍵１００ｄで暗号化したデータと共に中継サーバ装置７１へ送信する。
【０１５４】
中継サーバ装置７１では、受け取った暗号化された広告データをステップＳ１５５において、秘密鍵１００ｄで復号化してステップＳ１５６で広告データを得て、更に、このデータをステップＳ１５７でハッシュ計算し、結果データを生成する。また、中継サーバ装置７１は、ステップＳ１５８で配信装置２２から受け取った広告データ電子署名をステップＳ１５９において秘密鍵１００ｄで復号化し、ステップＳ１６０で復号化データを生成する。こうしてステップＳ１５４で得られたハッシュ計算での結果データとステップＳ１６０の復号化データは、通信途中で改ざんやデータ化け等が起こっていなければ一致するはずであり、これを比較／検証することで通信路の安全が保証されることになる。
【０１５５】
図２９には、ＳＳＬを用いて履歴データを中継サーバ装置７１から履歴管理装置２３へ送信するときの処理を示す。中継サーバ装置７１から履歴データを履歴管理装置２３へ送信するときは、ステップＳ１６１において中継サーバ装置７１内で、履歴データをハッシュ計算して得られた結果データを、ステップＳ１６２で秘密鍵１００ｄで暗号化し、暗号化した履歴データを、ステップＳ１６３で履歴データ電子署名とし、ステップＳ１６４で履歴データを秘密鍵１００ｄで暗号化したデータと共に履歴管理装置２３へ送信する。
【０１５６】
履歴管理装置２３では、受け取った暗号化された履歴データをステップＳ１６５において、秘密鍵１００ｄで復号化してステップＳ１６６で履歴データを得て、更に、このデータをステップＳ１６７でハッシュ計算し、結果データを生成する。また、履歴管理装置２３は、ステップＳ１６８で中継サーバ装置７１から受け取った履歴データ電子署名をステップＳ１６９において秘密鍵１００ｄで復号化し、ステップＳ１６０で復号化データを生成する。こうしてステップＳ１６４で得られたハッシュ計算での結果データとステップＳ１６０の復号化データは、通信途中で改ざんやデータ化け等が起こっていなければ一致するはずであり、これを比較／検証することで通信路の安全が保証されることになる。
【０１５７】
ところで、図１や図１８に示すシステム運営者Ｓが各広告主Ａ〜Ｃに対して販売するものは、具体的には、広告の時間枠である。これを図３０を用いて説明すると、例えば図１８で言う表示端末装置３２の各設置場所ＬＳ，Ｓ，ＣＳには、図３０に示すような広告データの再生リストがある。図３０では、１番目と２番目を広告主Ａが購入し、３番目と４番目を広告主Ｂが購入し、５番目を広告主Ｃが購入している。すなわち、広告主は、予め枠に定義づけられた表示端末装置３２に対して広告データを流すための広告枠を購入するようになっている。そして、この再生リストは、表示端末装置３２の設置場所ＬＳ，Ｓ，ＣＳ毎に異なる。
【０１５８】
したがって、各広告主間では、広告データが配信されるまでは互いに秘密である必要がある一方で、各広告主は、自分の広告枠に対しては、自由に改変することができる必要がある。また、システム運営者Ｓは、全体システムを把握する必要があり、必要な限度で全ての広告枠に対してアクセスする必要がある。このように、このシステムでは、端末の性格に応じて編集・閲覧可能な権限を設定することで、秘匿性を確保しつつ、それぞれの権利を持つ広告枠の管理を行うことができるようになっている。なお、図３１中○は、システム内の全データへのアクセス権限を有することを示し、△は、権利のあるデータに関してのみアクセス権限を有することを示し、×は、アクセス権限を有さないことを示している。
【０１５９】
例えば、図１８に示すシステム管理端末装置６２は、システム運営者Ｓによって操作される装置であり、このシステム全体を統括する装置である。また、編集装置２１も、システム運営者Ｓが管理装置であり、広告データや再生スケジュールを生成する装置である。したがって、図３１に示すように、システム管理端末装置６２や編集装置２１は、システム管理者でログインされたとき、再生スケジュールの編集、広告データの登録、広告データの事前閲覧、履歴データの閲覧、クーポンの流通履歴に関してアクセス権限を有するようになっている。なお、図３２は、具体的に、システム管理端末装置６２や編集装置２１にシステム管理者でログインしたときアクセスできるデータを示す。図３２より分かるように、ここでは、広告データのファイルやテキストファイル等を編集することができる。また、１４：１５：３０〜１４：３０：００までの枠は、空き枠であるが、この空き枠に新たな広告データを入力することもできる。
【０１６０】
また、システム管理端末装置６２や編集装置２１は、広告データ・再生リスト承認者でログインされたとき、再生スケジュールの編集、広告データの事前閲覧に限ってアクセス権限を有することになる。
【０１６１】
また、広告主Ａ〜Ｃ間では、自分の広告データに関してはアクセスする必要があるが他の広告主の広告データに対してはアクセスできてはいけない。そこで、各広告主の第１乃至第３の広告入力装置１０ａ〜１０ｃは、自分の広告データに関し、再生スケジュールの編集、広告データの登録、広告データの事前閲覧、履歴データの閲覧、クーポンの流通履歴に関してアクセス権限を有するようになっている。なお、図３３は、具体的に、第１乃至第３の広告入力装置１０ａ〜１０ｃがアクセスできるデータを示す。図３２と比較して、自分の広告データの枠に関してのみアクセスすることができることが分かる。
【０１６２】
更に、表示端末装置３２の各設置場所ＬＳ，Ｓ，ＣＳの管理端末装置８１は、各設置場所における表示端末装置３２を管理する必要がある。そこで、管理端末装置８１は、自分に関連する範囲で、自分の広告データに関し、再生スケジュールの編集、広告データの登録、広告データの事前閲覧、履歴データの閲覧、クーポンの流通履歴、表示端末装置３２の電源管理に関してアクセス権限を有するようになっている。
【０１６３】
以上のように、システムが保持する広告データ・再生スケジュール・クーポンデータ・機器設定情報・履歴情報等の各種広告情報を、複数の管理端末で編集・管理する際、管理端末・管理者毎に編集・閲覧可能な広告時間枠を設定することで、秘匿性の確保を実現ですることができる。また、複数の管理者が異なった権限でそれぞれの権利を持つ広告枠の管理を行うことができる。
【図面の簡単な説明】
【０１６４】
【図１】本発明を適用したデータ処理システムの構成を示す図である。
【図２】編集広告データの構成を示す図である。
【図３】ホテル内に設置される表示端末装置のブロック図である。
【図４】ホテル内に大画面と小画面の表示端末装置を設置した例を示す図である。
【図５】ＩＣカードの記録領域を示す図であり、（Ａ）は、専ら電子マネーの用途に用いられる第１のＩＣカードの記録領域を示し、（Ｂ）は、ホテル会員カート等の多用途の第２のＩＣカードの記録領域を示す。
【図６】履歴管理装置に供給されるデータを示す図である。
【図７】（Ａ）は、ホテルに設置された表示端末装置の第１のリーダ／ライタからのメモリ識別データＭＩＤ、第１の履歴データＨＤ１、会員識別データＭＤ及び第２の履歴データＨＤ２を示す図であり、（Ｂ）は、ＩＣカードの取扱店Ａに設置された店舗端末装置の第２のリーダ／ライタからのメモリ識別データＭＩＤ及び第１の履歴データＨＤ１を示す図であり、（Ｃ）は、（Ａ）及び（Ｂ）から生成された分析データを示す図である。
【図８】編集広告データが生成されて、表示端末装置に配信されるまでの一連の手順を示すフローチャートである。
【図９】表示端末装置の表示操作部に編集広告データを表示された状態を示す図である。
【図１０】表示端末装置が利用者によって操作されたときの処理手順を示すフローチャートである。
【図１１】表示端末装置の表示操作部にＩＣカードと通信を行う際のページが表示された状態を示す図である。
【図１２】クーポンデータを取得する際の一連の手順を示すフローチャートである。
【図１３】利用者が商品を購入する際の一連の手順を示すフローチャートである。
【図１４】履歴分析装置で分析データを生成するまでの一連の手順を示すフローチャートである。
【図１５】表示端末装置を大画面の端末と小画面の端末で構成したときの履歴を示す図であり、（Ａ）は、大画面の端末の履歴、（Ｂ）は小画面の端末の履歴を示す。
【図１６】商品が購入されたときの履歴を示す図である。
【図１７】特定のクーポンデータＣＤの各店舗での利用頻度を時間帯別に示した分析データの図である。
【図１８】大規模店舗と駅の構内とコンビニエンスストアに表示端末装置が設置されたシステムの構成を示す図である。
【図１９】配信装置の構成を示すブロック図である。
【図２０】配信する広告データの構成を示す図であり、（Ａ）はクーポンを含まない広告データの構成を示し、（Ｂ）は、クーポンを含む広告データの構成を示す。
【図２１】再生リストを示す図である。
【図２２】各設置場所のフロントエンドに配置される中継サーバ装置を示すブロック図である。
【図２３】表示端末装置のステータスが中継サーバ装置に蓄積されるまでの手順を示すフローチャートである。
【図２４】配信装置と中継サーバ装置との間で行われる再生スケジュール及び広告データのやり取りの手順を示すフローチャートである。
【図２５】中継サーバ装置と表示端末装置との間で行われる再生スケジュール及び広告データのやり取りの手順を示すフローチャートである。
【図２６】表示端末装置に蓄積された履歴データを中継サーバ装置を介してシステム運営者Ｓが管理する履歴管理装置に送信するまでの一連の手順を示すフローチャートである。
【図２７】第１の装置と第２の装置と行われる認証処理を示す図であり、（Ａ）は認証デバイスの構成を示し、（Ｂ）は、認証処理手順を示す。
【図２８】配信装置と中継サーバ装置間でのＳＳＬを示す図であり、（Ａ）は、再生スケジュールの伝送処理を示し、（Ｂ）は、広告データの伝送処理を示す。
【図２９】中継サーバ装置と履歴管理装置間でのＳＳＬを示す図である。
【図３０】再生リストを示す図である。
【図３１】図１８に示すシステムを構成する各装置の権限を示す図である。
【図３２】システム管理端末装置や編集装置にシステム管理者でログインしたときアクセスできるデータを示す図である。
【図３３】一の広告入力装置がアクセスできるデータを示す図である。
【符号の説明】
【０１６５】
１   データ処理システム、１０ａ〜１０ｃ  第１乃至第３の広告入力装置、２１  編集装置、２２  配信装置、２３  履歴管理装置、２４  履歴分析装置、３１  ホテル入力装置、３２ａ〜３２ｃ  表示端末装置、３２ｄ  大画面の表示端末装置、３２ｅ  小画面の表示端末装置、３２ｆ  広告データ記憶部、３２ｇ  再生スケジュール記憶部、３３  表示操作部、３３ａ  カード領域、３３ｂ  アンテナコイル、３５  第１のリーダ／ライタ、３９  ホテル管理装置、４０  ＩＣカード、４０ａ  第１のＩＣカード、４０ｂ  第２のＩＣカード、４１  電子マネー領域、４２  会員データ領域、４３  クーポン領域、５１  店舗端末装置、５２  第２のリーダ／ライタ、６１  カード管理装置、６２  システム管理端末装置、７１  中継サーバ装置、７２  通信Ｉ／Ｆ、７３  広告データ蓄積部、７４  再生スケジュール格納部、７５  判断部、７６  通信Ｉ／Ｆ、７７  ダウンロードスケジュール生成部、７８  ステータス格納部、７９  履歴データ蓄積部、８１  管理端末装置、９１  入力部、９２  広告データ蓄積部、９３  再生スケジュール格納部、９４  判断部、９５  通信Ｉ／Ｆ、９６  広告データ、９６ａ  広告データ本体、９６ｂ  ＩＤ、９６ｃ  広告表示開始時刻、９６ｄ  広告表示終了時刻、９６ｅ  広告表示回数、９７  広告データ、９７ａ  広告データ本体、９７ｂ  ＩＤ、９７ｃ  広告表示開始時刻、９７ｄ  広告表示終了時刻、９７ｅ  ＩＤ、９８  再生スケジュール、１００  認証デバイス、１００ａ  ＲＯＭ、１００ｂ  電子証明書、１００ｃ  公開鍵、１００ｅ  秘密鍵、１０１  第１の装置、１０２  第２の装置
【図１】
2006331397.tif 000003
【図２】
2006331397.tif 000004
【図３】
2006331397.tif 000005
【図４】
2006331397.tif 000006
【図５】
2006331397.tif 000007
【図６】
2006331397.tif 000008
【図７】
2006331397.tif 000009
【図８】
2006331397.tif 000010
【図９】
2006331397.tif 000011
【図１０】
2006331397.tif 000012
【図１１】
2006331397.tif 000013
【図１２】
2006331397.tif 000014
【図１３】
2006331397.tif 000015
【図１４】
2006331397.tif 000016
【図１５】
2006331397.tif 000017
【図１６】
2006331397.tif 000018
【図１７】
2006331397.tif 000019
【図１８】
2006331397.tif 000020
【図１９】
2006331397.tif 000021
【図２０】
2006331397.tif 000022
【図２１】
2006331397.tif 000023
【図２２】
2006331397.tif 000024
【図２３】
2006331397.tif 000025
【図２４】
2006331397.tif 000026
【図２５】
2006331397.tif 000027
【図２６】
2006331397.tif 000028
【図２７】
2006331397.tif 000029
【図２８】
2006331397.tif 000030
【図２９】
2006331397.tif 000031
【図３０】
2006331397.tif 000032
【図３１】
2006331397.tif 000033
【図３２】
2006331397.tif 000034
【図３３】
2006331397.tif 000035